(57)【特許請求の範囲】
【請求項１】
装着者により装着されるように意図された眼鏡用累進多焦点眼用レンズを決定するためのコンピュータ実施方法であって、前記装着者は処方データを含む処方箋を発行されており、当該コンピュータ実施方法は：
−  前記装着者の利き手に関するデータを提供するステップ（ＳＨ）と、
−  前記装着者の利き手の与えられたデータを考慮し、かつ、以下：
１）エルゴラマを選択するステップ（Ｓａ）と、
２）前記装着者の処方データに応じて前記眼鏡用累進多焦点眼用レンズの目標光学関数を定義するステップ（Ｓｂ）と、
３）以下：
ａ）  初期のレンズを選択すること、
ｂ）  現在のレンズを定義することであって、現在の光学関数は前記現在のレンズに対し定義され、前記現在のレンズは前記初期のレンズとして当初定義されること、
ｃ）  コスト又はメリット関数により前記現在の光学関数と前記目標光学関数との差を最小化するための光学的最適化を行うこと、
により最適化を行うステップ（Ｓｃ）と、
のステップを備える光学最適化によって実行される、前記眼鏡用累進多焦点眼用レンズを決定するステップ（ＳＬ）と、
を含み、
ステップ１）で選択された前記エルゴラマは、利き手依存であり、かつ／叉は、ステップ２）で定義された前記目標光学関数は、前記装着者の利き手に応じて設計され、
前記ステップ２）は：
−  以下：
○  近方視注視方向に対する近方視ゾーンと、
○  経線に対する中間視ゾーンと、
○  前記装着者の利き手に応じて前記目標光学関数の遠方視注視方向に対する遠方視ゾーンと、
のうちの１つ又は複数の鼻／側頭視界半値幅を前記装着者の利き手に応じて非対称にするステップ、又は、
−  前記装着者の利き手に応じて前記眼鏡用累進多焦点眼用レンズの鼻部分と側頭部分間での前記目標光学関数の少なくとも１つの光学パラメータを非対称にするステップと、を含み、
前記光学パラメータは、
近方視、遠方視、及び中間視用の前記眼鏡用累進多焦点眼用レンズの１又は複数の有用ゾーンおける、
・  中心視における屈折力、中心視における非点収差、中心視における高次収差、中心視における明瞭度、中心視におけるプリズムによる光のフレ、視覚偏差、中心視における物体視野、中心視における像視野、中心視における倍率を含む群から選択される中心視光学基準（ＣＶＯＣ）のうちの任意の１つ；
・  周辺視における屈折力、周辺視における非点収差、周辺視における高次収差、瞳孔視野光線偏差、周辺視における物体視野、周辺視における像視野、周辺視におけるプリズムによる光のフレ、周辺視における倍率を含む群から選択される周辺視光学基準（ＰＶＯ）のうちの任意の１つ；
・  眼の倍率、側頭変位を含む群から選択されるグローバル光学基準（ＧＯＣ）のうちの任意の１つ；
・  前又は後平均曲率、前又は後最小曲率、前又は後最大曲率、前又は後円柱軸、前又は後円柱、前又は後平均球、前又は後最大球、前又は後最小球を含む群から選択される面基準（ＳＣ）のうちの任意の１つ；及び
・  上記基準のうちの任意のものの最大値、最小値、山から谷値、最大勾配値、最小勾配値、最大勾配値、最小勾配値、及び、平均値から選択される値；
から選択されることを特徴とするコンピュータ実施方法。
【請求項２】
装着者により装着されるように意図された眼鏡用累進多焦点眼用レンズを決定するためのコンピュータ実施方法であって、前記装着者は処方データを含む処方箋を発行されており、当該コンピュータ実施方法は：
−  前記装着者の利き手に関するデータを提供するステップ（ＳＨ）と、
−  前記装着者の利き手の与えられたデータを考慮し、かつ、以下：
１）エルゴラマを選択するステップ（Ｓａ）と、
２）前記装着者の処方データに応じて前記眼鏡用累進多焦点眼用レンズの目標光学関数を定義するステップ（Ｓｂ）と、
３）以下：
ａ）  初期のレンズを選択すること、
ｂ）  現在のレンズを定義することであって、現在の光学関数は前記現在のレンズに対し定義され、前記現在のレンズは前記初期のレンズとして当初定義されること、
ｃ）  コスト又はメリット関数により前記現在の光学関数と前記目標光学関数との差を最小化するための光学的最適化を行うこと、
により最適化を行うステップ（Ｓｃ）と、
のステップを備える光学最適化によって実行される、前記眼鏡用累進多焦点眼用レンズを決定するステップ（ＳＬ）と、
を含み、
ステップ１）で選択された前記エルゴラマは、利き手依存であり、かつ／又は、ステップ２）で定義された前記目標光学関数は、前記装着者の利き手に応じて設計され、
ステップ２）は：
−  中間光学関数を定義する、すなわち、前記装着者の処方箋データに応じて：
・  近方視ゾーン、
・  中間視ゾーン、
・  遠方視ゾーン、
・  経線
の中間位置、値、及び形状の定義を含む、中間光学関数を定義するステップ（Ｓｂ１）と、
−  前記装着者の利き手に応じて前記中間光学関数を変換することにより前記目標光学関数を定義するステップ（Ｓｂ２）と、
を備え、
前記ステップ（Ｓｂ２）を定義する前記目標光学関数は少なくとも：
・  前記装着者の利き手に応じて前記中間光学関数の、
＊  前記近方視ゾーン、
＊  前記中間視ゾーン、
＊  前記遠方視ゾーン、
＊  上記のゾーンうちの任意の有用領域、及び、
＊  前記経線又はその一部のうちの１つ又は複数をシフトする及び／又は回転する及び／又は拡大する及び／又は剪断することから選択された少なくとも１つによって変換するステップ；又は、
・  前記装着者の利き手に応じて前記中間光学関数の：
＊  近方視注視方向に対する前記近方視ゾーンと、
＊  前記経線に対する前記中間視ゾーンと、
＊  前記装着者の利き手に応じて前記目標光学関数の遠方視注視方向に対する前記遠方視ゾーンと、
のうちの１つ又は複数の鼻／側頭視界半値幅を非対称にするステップ；又は、
・  前記装着者の利き手に応じて前記目標光学関数の鼻部分と側頭部分間での少なくとも１つの光学パラメータを非対称にするステップ；
を含み、
前記光学パラメータは、
近方視、遠方視、及び中間視用の前記眼鏡用累進多焦点眼用レンズの１又は複数の有用ゾーンおける、
・  中心視における屈折力、中心視における非点収差、中心視における高次収差、中心視における明瞭度、中心視におけるプリズムによる光のフレ、視覚偏差、中心視における物体視野、中心視における像視野、中心視における倍率を含む群から選択される中心視光学基準（ＣＶＯＣ）のうちの任意の１つ；
・  周辺視における屈折力、周辺視における非点収差、周辺視における高次収差、瞳孔視野光線偏差、周辺視における物体視野、周辺視における像視野、周辺視におけるプリズムによる光のフレ、周辺視における倍率を含む群から選択される周辺視光学基準（ＰＶＯ）のうちの任意の１つ；
・  眼の倍率、側頭変位を含む群から選択されるグローバル光学基準（ＧＯＣ）のうちの任意の１つ；
・  前又は後平均曲率、前又は後最小曲率、前又は後最大曲率、前又は後円柱軸、前又は後円柱、前又は後平均球、前又は後最大球、前又は後最小球を含む群から選択される面基準（ＳＣ）のうちの任意の１つ；及び
・  上記基準のうちの任意のものの最大値、最小値、山から谷値、最大勾配値、最小勾配値、最大勾配値、最小勾配値、及び、平均値から選択される値；
から選択されることを特徴とするコンピュータ実施方法。
【請求項３】
前記装着者の利き手は、
−  所与の活動に対して左利きか右利きかを尋ねられたときの前記装着者の返答、
−  エジンバラインベントリ又は１つ又は複数の利き手に関する質問がなされたときの前記装着者の返答を利用して判断される側性係数、又は、
−  物理的試験及び／又は測定、
により予め決定されることを特徴とする請求項１又は２に記載のコンピュータ実施方法。
【請求項４】
前記目標光学関数を定義する前記ステップ（Ｓｂ）は、
−  以下：
○  近方視注視方向に対する前記近方視ゾーン、
○  前記経線に対する前記中間視ゾーン、及び、
○  前記装着者の利き手に応じて前記目標光学関数の遠方視注視方向に対する前記遠方視ゾーン、
のうちの１つ又は複数の鼻／側頭視界半値幅を非対称にするステップ、又は、
−  前記装着者の利き手に応じて前記眼鏡用累進多焦点眼用レンズの前記鼻部分と前記側頭部分間での前記目標光学関数の少なくとも１つの光学パラメータを非対称にするステップ、
の組み合せを備えることを特徴とする請求項１に記載のコンピュータ実施方法。
【請求項５】
プロセッサにアクセス可能であって前記プロセッサにより実行されると前記プロセッサに請求項１〜４のいずれか一項に記載のコンピュータ実施方法のステップを実行させる１つ又は複数の格納された一連の命令を含むコンピュータプログラム製品。
【請求項６】
請求項５に記載のコンピュータプログラム製品の１つ又は複数の一連の命令を実行するコンピュータ読み取り可能媒体。
【請求項７】
請求項１〜４のいずれか一項に記載のコンピュータ実施方法を備える、装着者により装着されるように意図された眼鏡用累進多焦点眼用レンズを製造する方法。
【発明の詳細な説明】
【技術分野】
【０００１】
本発明は利き手の経験を改善するための眼用レンズと眼鏡に関する。
【背景技術】
【０００２】
装着者には、正又は負の屈折力（ｏｐｔｉｃａｌ  ｐｏｗｅｒ）補正が処方されることがある。老眼の装着者にとって、屈折力補正の値は近方視における適応の困難性により遠方視と近方視で異なる。老眼の装着者に好適な眼用レンズは多焦点レンズであり、最も適切なものは累進多焦点レンズである。
【０００３】
本発明者らは、右利きの人と左利きの人は、近方視、中間視、及び／又は遠方視に関わらず、ある作業を行う際全く異なる方法で振る舞うということを発見した。しかし、現在のレンズ設計は設計要素として利き手を含まず、一方このような要素は装着者の視覚的快適性に影響を与える。
【発明の概要】
【課題を解決するための手段】
【０００４】
本発明は、装着者の利き手を考慮した眼用レンズを提供するための眼用レンズ供給システムを提供する。さらに、本発明は、眼用レンズの装着者の利き手を考慮することにより眼用レンズを決定し製造するためのコンピュータ実施方法を提供する。本発明はまた、関係するコンピュータプログラム製品を提供する。
【０００５】
本発明の目的は、有利には優れた視覚的快適性を装着者に与えることであり、近方視及び／又は中間視及び／又は遠方視の快適性改善のためにカスタム化され得る。したがって、特定の装着者作業及び活動に対し、利き手に応じた快適性の改善をさらに提供し得る。
【０００６】
本発明のさらなる特徴と利点は、以下に列挙される添付図面を参照して、非限定的な例として与えられる以下の本発明の実施形態の説明から明らかになる。
【図面の簡単な説明】
【０００７】
【図１】目とレンズの光学系と、眼の回転中心からの光線追跡とを図式的に示す。
【図２】目とレンズの光学系と、眼の回転中心からの光線追跡とを図式的に示す。
【図３】目とレンズの光学系と、眼の回転中心からの光線追跡とを図式的に示す。
【図４】マイクロマーキングを有する面とマイクロマーキングを有しない面それぞれに対するマイクロマーキングに関して定義された基準点を示す。
【図５】マイクロマーキングを有する面とマイクロマーキングを有しない面それぞれに対するマイクロマーキングに関して定義された基準点を示す。
【図６】レンズの視野ゾーンを示す。
【図７】レンズの視野ゾーンを示す。
【図８】近方視作業を行う際の目とレンズの光学系を示す。
【図９】図８の光学系により掃引された際の有用ゾーンに対応する注視方向の包絡線を示す。
【図１０】図８の光学系により掃引された際の有用ゾーンに対応する注視方向の包絡線を示す。
【図１１】本発明による累進式眼用レンズの対の３つの例の光学的特性を示す。
【図１２】本発明による累進式眼用レンズの対の３つの例の光学的特性を示す。
【図１３】本発明による累進式眼用レンズの対の３つの例の光学的特性を示す。
【図１４】本発明による累進式眼用レンズの対の３つの例の光学的特性を示す。
【図１５】本発明による累進式眼用レンズの対の３つの例の光学的特性を示す。
【図１６】本発明による累進式眼用レンズの対の３つの例の光学的特性を示す。
【図１７】本発明による累進式眼用レンズの対の３つの例の光学的特性を示す。
【図１８】本発明による累進式眼用レンズの対の３つの例の光学的特性を示す。
【図１９ａ】本発明による累進式眼用レンズの対の３つの例の光学的特性を示す。
【図２０ａ】本発明による累進式眼用レンズの対の３つの例の光学的特性を示す。
【図２１ａ】本発明による累進式眼用レンズの対の３つの例の光学的特性を示す。
【図２２ａ】本発明による累進式眼用レンズの対の３つの例の光学的特性を示す。
【図１９】本発明による有用なエルゴラマを定義するために使用され得るサイクロピアン（Ｃｙｃｌｏｐｅａｎ）双眼座標系の図解を示す。
【図２０】本発明による有用な利き手固有エルゴラマの例を示す。
【図２１】本発明によるインセット決定を示す。
【図２２】本発明により得られるレンズの光学特性を示す。
【図２３】本発明の例示的眼用レンズ供給システムを模式的に示す。
【図２４】本発明に従って眼用レンズを決定するための例示的方法を模式的に示す。
【発明を実施するための形態】
【０００８】
添付図面内の要素は簡略化と明確化のために示され必ずしも原寸に比例して描かれていないということが理解される。例えば、添付図面内の要素のいくつかの寸法は、本発明のいくつかの実施形態の理解を深めるのを支援するために他の要素に対して誇張されることがある。
【０００９】
定義
以下の定義は本発明を説明するために与えられる。
【００１０】
「処方データ（Ｐｒｅｓｃｒｉｐｔｉｏｎ  ｄａｔａ）」は当該技術分野において知られている。処方データは、装着者毎に得られる１つ又は複数のデータであって、眼毎に、処方された（以下、簡単化のため「処方」）遠方視平均屈折力ＰＦＶ、及び／又は処方非点収差値ＣＹＬＦＶ、及び／又は処方非点収差軸ＡＸＥＦＶ、及び／又は各眼の不正視及び／又は老眼を矯正するために好適な処方加入度（ａｄｄｉｔｉｏｎ）Ａを示す１つ又は複数のデータを指す。平均屈折力ＰＦＶは、処方非点収差値ＣＹＬＦＶの半値と処方球値ＳＰＨＦＶとを合計することにより得られる：ＰＦＶ＝ＳＰＨＦＶ＋ＣＹＬＦＶ／２。このとき、近接（近方）視の各眼の平均屈折力は、処方加入度Ａと同眼に対して処方された遠方視平均屈折力ＰＦＶとを合計することにより得られる：ＰＮＶ＝ＰＦＶ＋Ａ。累進レンズの処方の場合、処方データは、眼毎のＳＰＨＦＶ、ＣＹＬＦＶ、Ａの値を示す装着者データを含む。
【００１１】
「利き手」又は「左右差」は、一方の手又は他方の手を使用する個人の好み及び／又は性向を示す。これは通常、書くなどの作業に対して観測されるが、他の活動においても反映される。対象者の利き手を記述するために利き手パラメータＨを使用することができる。
【００１２】
「眼用レンズ」は当該技術分野において知られている。本発明によると、眼用レンズは、累進及び逆進レンズ、単焦点レンズ、二重焦点レンズ、又はより一般的には多焦点レンズから選択され得る。レンズは、眼鏡、コンタクトレンズ、又は眼内レンズとして使用され得る。レンズはまた、レンズが眼の前に情報を表示する手段を含む情報眼鏡であり得る。レンズは処方又は処方箋無しレンズであり得る。レンズはまた、サングラスに好適であることも、そうでないこともある。本発明による好ましいレンズは累進多焦点眼用レンズを含む累進式眼用レンズである。本発明により入手可能なすべての眼用レンズは一対のレンズ（左眼ＬＥ、右眼ＲＥ）を形成するように対にされ得る。
【００１３】
装着者用の「一対のレンズ」は前記装着者により同時に装着されるようにされた一対のレンズを示す。前記一対のレンズはフレームに嵌め込められるように意図されている。
【００１４】
「注視方向（ｇａｚｅ  ｄｉｒｅｃｔｉｏｎ）」は、眼の回転中心（ＣＲＥ：ｃｅｎｔｅｒ  ｏｆ  ｒｏｔａｔｉｏｎ  ｏｆ  ｔｈｅ  ｅｙｅ）を中心とする基準軸に対して測定される２つの角度値（α，β）により特定することができる。より正確には、図１は、注視方向を定義するために使用されるパラメータα、βを示すこのような系の斜視図を表す。図２は、装着者の頭の前後軸に平行な鉛直面であって、パラメータβが０に等しいときの眼の回転中心を通る鉛直面の図である。眼の回転中心はＱ’と標記される。図２に鎖線で示された軸Ｑ’Ｆは、眼の回転中心を通り装着者の前に延びる水平軸である、すなわち主注視方向に対応する軸Ｑ’Ｆである。この軸は、眼鏡屋によるフレーム内のレンズの位置決めを可能にするためにレンズ上に存在するフィッティング十字（ｆｉｔｔｉｎｇ  ｃｒｏｓｓ）と呼ばれる点上のレンズの前面と交わる。フィッティング十字は０°の俯角（ｌｏｗｅｒｉｎｇ  ａｎｇｌｅ）αと０°の方位角βに対応する。レンズの裏面と軸Ｑ’Ｆの交点が点Ｏである。裏面に位置する場合、Ｏはフィッティング十字になりえる。中心Ｑ’と半径ｑ’の頂点球（ｖｅｒｔｅｘ  ｓｐｈｅｒｅ）は水平軸の一点でレンズの裏面と接する。例として、２５．５ｍｍの半径ｑ’の値は標準値に対応し、レンズを装着する際に満足な結果を与える。
【００１５】
所与の注視方向（図１上の実線により表される）は、Ｑ’のまわりの回転における眼の位置と頂点球の点Ｊ（図２を参照）とに対応する、角度βは軸Ｑ’Ｆと軸Ｑ’Ｆを含む水平面上の直線Ｑ’Ｊの投影との成す角度であり、この角度は図１上の図式上に現われる。角度αは、軸Ｑ’Ｊと軸Ｑ’Ｆを含む水平面上の直線Ｑ’Ｊの投影との成す角度であり、この角度は図１と図２の図式上に現われる。したがって、所与の注視視野（ｇａｚｅ  ｖｉｅｗ）は頂点球の点Ｊ又は組（α，β）に対応する。下向き注視角の値が正になればなるほど注視はより下向きとなり、同値が負になればなるほど注視視野は上向きとなる。
【００１６】
所与の注視方向において、所与の物体距離に位置する物体空間内の点Ｍの像は、最小距離ＪＳと最大距離ＪＴ（サジタル（ｓａｇｉｔｔａｌ）局所焦点距離と接線方向（ｔａｎｇｅｎｔｉａｌ）局所焦点距離）に対応する２点ＳとＴとの間に形成される。無限大における物体空間内の点の像は点Ｆ’に形成される。距離Ｄはレンズの後側正面に対応する。
【００１７】
レンズ上において、注視方向（α，β）毎に、屈折力Ｐα，β、非点収差のモジュール（ｍｏｄｕｌｅ）Ａｓｔα，βとこの非点収差の軸Ａｘｅα，β、及び発生（「残余又は不要」とも称する）非点収差のモジュールＡｓｒα，βが定義される。
【００１８】
「エルゴラマ（ｅｒｇｏｒａｍａ）」は、物点の標準距離と各注視方向とを関連付ける関数である。通常、主注視方向に従う遠方視において物点は無限大にある。鼻側方向に絶対値で３５°程度の角度αと５°程度の角度βとにほぼ対応する注視方向に従う近方視では物体距離は３０〜５０ｃｍ程度である。エルゴラマの考えられる定義に関する詳細については、米国特許第Ａ−６，３１８，８５９号明細書を考慮し得る。この文書は、エルゴラマ、その定義、そのモデリング方法について説明している。本発明の方法に関しては、点は無限遠にあっても、無くてもよい。エルゴラマは装着者の屈折異常に応じ得る。単焦点レンズという状況では、エルゴラマは無限大距離に位置する面として定義され得る。これらの要素を使用して、各注視方向における装着者屈折力及び非点収差を定義することが可能である。エルゴラマにより与えられる物体距離における物点Ｍには、注視方向（α，β）が考慮される。物体近接度（ｏｂｊｅｃｔ  ｐｒｏｘｉｍｉｔｙ）ＰｒｏｘＯは、頂点球の点Ｍと点Ｊ間の距離ＭＪの逆数として物体空間内の対応する光線上の点Ｍに対して定義される。
ＰｒｏｘＯ＝１／ＭＪ
【００１９】
これにより、物体近接度を、エルゴラマの判断に使用されるこの頂点球のすべての点の薄肉レンズ近似内で計算することができるようになる。実際のレンズについては、物体近接度は、対応する光線上の物点とレンズの前面間の距離の逆数として考えることができる。
【００２０】
同じ注視方向（α，β）については、所与の物体近接度を有する点Ｍの像は、最小焦点距離と最大焦点距離（サジタル焦点距離と接線方向焦点距離）にそれぞれ対応する２点ＳとＴとの間に形成される。量Ｐｒｏｘ  Ｉは点Ｍの像近接度と呼ばれる：
【数１】
0006275709.tif 000002
【００２１】
屈折力（ｏｐｔｉｃａｌ  ｐｏｗｅｒ）は屈折力（ｒｅｆｒａｃｔｉｖｅ  ｐｏｗｅｒ）とも称する。
【００２２】
したがって、薄肉レンズの場合との類推により、所与の注視方向と所与の物体近接度に対して（すなわち、対応する光線上の物体空間の点に対して）、像近接度と物体近接度の合計としての屈折力Ｐｕｉを定義することができる。
Ｐｕｉ＝ＰｒｏｘＯ＋ＰｒｏｘＩ
【００２３】
同じ表記により、非点収差Ａｓｔは、あらゆる注視方向と所与の物体近接度に対して次のように定義される。
【数２】
0006275709.tif 000003
【００２４】
この定義は、レンズにより生成される光線ビームの非点収差に対応する。
【００２５】
図３は、パラメータαとβが非零である構成の斜視図を表す。したがって、固定座標系｛ｘ，ｙ，ｚ｝と目にリンクされた座標系｛ｘｍ，ｙｍ，ｚｍ｝とを示すことにより眼の回転の影響を示すことができる。座標系｛ｘ，ｙ，ｚ｝は点Ｑ’にその原点を有する。軸ｘは軸Ｑ’Ｏであり、レンズから目方向に向けられる。ｙ軸は垂直であり、上方に向けられる。ｚ軸は、座標系｛ｘ，ｙ，ｚ｝が正規直交となるようにされる。座標系｛ｘｍ，ｙｍ，ｚｍ｝は目にリンクされ、その中心は点Ｑ’である。ｘｍ軸は注視方向ＪＱ’に対応する。したがって、主注視方向に関し、２つの座標系｛ｘ，ｙ，ｚ｝と｛ｘｍ，ｙｍ，ｚｍ｝は同じである。レンズの特性は、いくつかの異なる方法で、特に面において、及び光学的に表現し得ることが公知である。それゆえ、面特性評価は、光学的特性評価と等しい。ブランクの場合、面特性評価のみを使用し得る。光学的特性評価は、レンズが装用者の処方に機械加工されていることを必要とすることを理解する必要がある。対照的に、眼科用レンズの場合、特性評価は、面又は光学的な事項であり、両特性評価によって、２つの異なる視点から同じ物体を説明することができる。レンズの特性評価が光学的な事項であるときはいつでも、上述のエルゴラマ−眼−レンズ系を指す。簡単にするために、説明では用語「レンズ」を使用するが、これは、「エルゴラマ−眼−レンズ系」として理解する必要がある。面のそれぞれの項目の値はそれぞれの点に対して表し得る。点は、図４と図５に関して上に定義されたような座標系における横座標又は縦座標の助けを借りて配置される。
【００２６】
光学的なそれぞれの項目の値はそれぞれの視線方向に対して表し得る。注視方向は、その原点が眼の回転中心である座標系におけるそれらの下向きの度合いと方位角とにより与えられる。レンズが眼の前に適用される場合、フィッティング十字と呼ばれる点が瞳の前又は主注視方向の眼の回転中心Ｑ’の前に配置される。主注視方向は、装着者が真直ぐ見ている状況に対応する。したがって、選択された座標系において、フィッティング十字は、フィッティング十字がレンズのどの面（裏面又は前面）に配置されたとしても０°の俯角αと０°の方位角βとに対応する。
【００２７】
図１〜３を参照してなされた上記説明は中心視に対してなされた。周辺視では、注視方向が固定されるので、瞳の中心が眼の回転中心の代わりと考えられ、周辺光線方向が注視方向の代わりと考えられる。周辺視を考慮する場合、角度αと角度βが注視方向の代わりに光線方向に対応する。
【００２８】
明細書の残りの部分では、「上」、「底」、「水平」、「垂直」、「の上」、「の下」、又は相対位置を示す他の単語のような用語が使用されることがある。これらの用語はレンズの装着条件において理解されるものとする。特に、レンズの「上側」部分は負の俯角α＜０°に対応し、レンズの「下側」部分は正の俯角α＞０°に対応する。
【００２９】
同様に、レンズ又は半仕上げレンズブランクの面の「上側」部分はｙ軸に沿った正値（好適には、フィッティング十字に対応するｙ値より上のｙ軸に沿った値）に対応し、レンズ又は半仕上げレンズブランクの面の「下側」部分は、図４と図５に関して上に定義されたような座標系におけるｙ軸に沿った負値（好適には、フィッティング十字におけるｙ＿ｖａｌｕｅを下回るｙ軸に沿った値）に対応する。
【００３０】
累進レンズの「経線」は次のように定義され得る。フィッティング十字に対応する注視方向とレンズの底との間の観察角α＝α１の視野のそれぞれの下向きに関し、注視方向（α１，β１）は、エルゴラマにより判断された距離における正中面（ｍｅｄｉａｎ  ｐｌａｎｅ）内に位置する物点を鮮明に見ることができるために、光線追跡により探索される。正中面は、頭の正中面であり、優先的には鼻の基部を通る。この面はまた、右及び左眼回転中心の中央を通り得る。
【００３１】
したがって、そのようにして定義されたすべての注視方向は、エルゴラマ眼レンズ系の経線を形成する。個人用に設定するために、環境における頭の角度と位置などの装着者の姿勢データが物体位置を決定するために考慮される可能性がある。例えば、物体位置は、近方視における装着者横ズレをモデル化するために、正中面から外れた位置である可能性がある。
【００３２】
レンズの経線は、装着者が遠方視から近方視で見ているとき装着者の平均注視方向の軌跡を表す。
【００３３】
レンズの「面経線」３２は以下のように定義される。レンズの経線に属する各注視方向（α，β）は点（ｘ，ｙ）において面と交差する。面経線はレンズの経線の注視方向に対応する点集合である。
【００３４】
図７に示すように、例えばレンズの前面に属する面経線３２はレンズを鼻領域（Ｎ）と側頭領域（Ｔ）とに分離する。予想通り、鼻領域は経線と装着者の鼻との間にあるレンズの領域であり、側頭領域は経線と装着者の側頭との間にある領域である。
【００３５】
「チャンネル線」は、発生非点収差（ｒｅｓｕｌｔｉｎｇ  ａｓｔｉｇｍａｔｉｓｍ）の最小に対応する注視方向を含む線、又は鼻側と側頭側のレンズのそれぞれを通る２つの注視方向からほぼ等距離（俯角に対する同じ値と発生非点収差に対しても同じ値を有する）にある線として累進レンズに対して定義される。通常、レンズ製造業者は累進レンズの経線をチャンネル線とほぼ一致させる。各経線又は各チャンネル線は、フィッティング十字の上の鉛直面内に含まれ、フィッティング十字の下の鼻側方向に偏向される。
【００３６】
単焦点レンズの「経線」と「チャンネル線」はレンズの光学中心を通る垂直線として定義される。
【００３７】
レンズの「偏心ゾーン」は、以下のすべての注視方向を含むゾーンとして定義される。
＊ＰＲＰを通る注視方向に対応するとともに不等式（｜α｜２＋｜β｜２）１／２≦４０°に関するすべての注視方向（α，β）を含む注視方向を中心とするゾーン内、
＊中央光学ゾーン外；経線（α１，β１）を含む中央光学ゾーンであって、その方位角がβ１±５°に等しい注視方向により経線の両側で境界が定められた中央光学ゾーン。
【００３８】
レンズの「鼻」及び「側頭」側は経線に対して定義される。鼻（又は側頭）側は、「偏心ゾーン」内の一組の注視方向に対応し、経線に対する鼻（又は側頭）側に制限される。
【００３９】
累進レンズを通して見られる「視野ゾーン」は当業者に知られており、図６と図７に概略的に示される。レンズは、レンズの上部にある遠方視ゾーン２６と、レンズの下部にある近方視ゾーン２８と、遠方視ゾーン２６と近方視ゾーン２８間に位置する中間領域３０とを含む。レンズはまた、例えば前面に属し、３つのゾーンを通り、鼻側と側頭側を定義する面経線３２を有する。
【００４０】
単焦点レンズの「視野ゾーン」は次のように定義される。
−  遠方視単焦点レンズ（すなわち遠方視補正のために処方され取り付けられる単焦点レンズ）に対して遠方視基準点は光学中心に対応し、近方視基準点は近接視に使用される点（例えば、座標ＮＶ（０，−１５ｍｍ）の点）に対応し、中間視基準点は、中間視に使用される点（例えば、座標ＩＶ（０，−７．５ｍｍ）の点）に対応し、座標は、前面に位置するレンズの光学中心ＯＣを中心とする基準座標（ＯＣ，ｘ，ｙ）の、及びＯＣにおけるレンズの前面の接平面に属する軸ｘとｙの、デカルト系に相対的であり、ｘ軸は、レンズがフレームに嵌め込められ主注視状況にある装着者により装着される場合に地上面と平行であり（累進レンズに対する類推により、ｘ軸はマイクロマーキングが存在する場合それにより形成される軸と平行である；図４を参照）、ｙ軸はｘ軸に直角である。
−  近方視単焦点レンズ（すなわち近方視補正のために処方され取り付けられた単焦点レンズ）に対し、近方視基準点は光学中心に対応し、上記定義のデカルト座標系において、中間視基準点は（０，＋７．５ｍｍ）の座標を有し得、遠方視基準点は（０，＋１５ｍｍ）の座標を有し得る。
−  単焦点レンズの遠方視、近方視及び中間視ゾーンは、遠方視、近方視及び中間視基準点を囲むレンズのゾーンとしてそれぞれ定義される。図６と同様に、ゾーンの限界は基準点間の中間距離において定義され得る。
【００４１】
「近方視注視方向」（αＰＶ，βＰＶ）はレンズに対して定義され、また対のレンズの各々について定義され得る、すなわち、当該対の左眼レンズに対して左近方視注視方向（αＰＶＬ，βＰＶＬ）、当該対の右眼レンズに対して右近方視注視方向（αＰＶＲ，βＰＶＲ）。
【００４２】
近方視注視方向は経線に属する。
【００４３】
一般的に、累進レンズに対し、近方視注視方向したがってαＰＶは、当該屈折力が、当該レンズの処方遠方視平均屈折力ＰＦＶ＋当該レンズの処方加入度Ａの５０％と、当該レンズの処方遠方視平均屈折力ＰＦＶ＋当該レンズの処方加入度の１２５％との間に含まれるようにされる。
【００４４】
有利には、近方視注視方向したがってαＰＶは、当該対の各レンズに対して、屈折力が、当該レンズの処方遠方視平均屈折力ＰＦＶ＋当該レンズの処方加入度Ａの８５％に達する場合の注視方向、又は屈折力が、当該レンズの処方遠方視平均屈折力ＰＦＶ＋当該レンズの処方加入度Ａの１００％に達する場合の注視方向として定義される。
【００４５】
「屈折力の近方視側頭半値幅」ＴＰ，ｎｖは、近方視注視方向（αＰＶ，βＰＶ）と、屈折力ＰαＰＶ，βＴＰ，ｎｖが、レンズの処方遠方視平均屈折力の値ＰＦＶ＋レンズの処方加入度Ａの３／４の値に達する場合のレンズの側頭側の注視方向（αＰＶ，βＴＰ，ｎｖ）との間の一定の俯角αにおける角距離として累進レンズの光学関数に対して定義される。
【数３】
0006275709.tif 000004
【００４６】
「屈折力の近方鼻側頭半値幅」ＮＰ，ｎｖは、近方視注視方向（αＰＶ，βＮＰ）と、屈折力ＰαＰＶ，βＮＰが、レンズの処方遠方視平均屈折力の値ＰＦＶ＋レンズの処方加入度Ａの３／４に達する場合のレンズの鼻側の注視方向（αＰＶ，βＮＰ）との間の一定の俯角αにおける角距離として累進レンズの光学関数に対して定義される。
【数４】
0006275709.tif 000005
【００４７】
「発生非点収差のモジュールの近方視側頭半値幅」ＴＡ，ｎｖは、近方視注視方向（αＰＶ，βＰＶ）と、発生非点収差のモジュールＡｓｒαＰＶ，βＴＡ，ｎｖがレンズの処方加入度Ａの１／４の値に達する場合のレンズの側頭側の注視方向（αＰＶ，βＴＡ，ｎｖ）との間の一定の俯角αにおける角距離として累進レンズの光学関数に対して定義される。
ＡｓｒαＰＶ，βＴＡ，ｎｖ＝Ａ／４
【００４８】
「発生非点収差のモジュールの近方視鼻側半値幅」ＮＡ，ｎｖは、近方視注視方向（αＰＶ，βＰＶ）と、発生非点収差のモジュールＡｓｒαＰＶ，βＮＡ，ｎｖがレンズの処方加入度Ａの１／４の値に達する場合のレンズの鼻側の注視方向（αＰＶ，βＮＡ，ｎｖ）との間の一定の俯角αにおける角距離として累進レンズの光学関数に対して定義される。
ＡｓｒαＰＶ，βＮＡ，ｎｖ＝Ａ／４
【００４９】
「屈折力の近方視側頭半値幅」ＴＰ，ｎｖは、近方視注視方向（αＰＶ，βＰＶ）と、屈折力ＰαＰＶ，βＴＰ，ｎｖが０．２５Ｄに達する場合のレンズの側頭側の注視方向（αＰＶ，βＴＰ，ｎｖ）との間の一定の俯角αにおける角距離として近方視単焦点レンズの光学関数に対して定義される。
【００５０】
「屈折力の鼻側頭半値幅」ＮＰ，ｎｖは、近方視注視方向（αＰＶ，βｐｖ）と、屈折力ＰαＰＶ，βＮＰが０．２５Ｄに達する場合のレンズの鼻側の注視方向（αＰＶ，βＮＰ）との間の一定の俯角αにおける角距離として近方視単焦点レンズの光学関数に対して定義される。
【００５１】
「発生非点収差のモジュールの近方視側頭半値幅」ＴＡ，ｎｖは、近方視注視方向（αＰＶ，βＰＶ）と、発生非点収差のモジュールＡｓｒαＰＶ、βＴＡ，ｎｖが０．２５Ｄに達する場合のレンズの側頭側の注視方向（αＰＶ，βＴＡ，ｎｖ）との間の一定の俯角αにおける角距離として近方視単焦点レンズの光学関数に対して定義される。
【００５２】
「発生非点収差のモジュールの近方視鼻側半値幅」ＮＡ，ｎｖは、近方視注視方向（αＰＶ，βＰＶ）と、発生非点収差のモジュールＡｓｒαＰＶ，βＮＡ，ｎｖが０．２５Ｄに達する場合のレンズの鼻側の注視方向（αＰＶ，βＮＡ，ｎｖ）との間の一定の俯角αにおける角距離として近方視単焦点レンズの光学関数に対して定義される。
【００５３】
「遠方視注視方向」は、屈折力が遠方視における処方屈折力にほぼ等しい場合の遠方基準点に対応する視方注視方向したがってαＦＶとしてレンズに対して定義される。屈折力はまた、フィッティング十字に対応する注視方向として定義され得、この場合α＝β＝０°。本開示内では、遠方視（ｆａｒ−ｖｉｓｉｏｎ）は遠方視（ｄｉｓｔａｎｔ−ｖｉｓｉｏｎ）とも称する。
【００５４】
「屈折力の遠方視側頭半値幅」ＴＰ，ｆｖは、遠方視注視方向（αＦＶ，βＦＶ）と、屈折力ＰαＦＶ，βＴＰ，ｆｖが、レンズの処方遠方視平均屈折力の値ＰＦＶ＋レンズの処方加入度Ａの１／４に達する場合のレンズの側頭側の注視方向（αＦＶ，βＴＰ，ｆｖ）との間の一定の俯角αにおける角距離として累進レンズの光学関数に対して定義される。
ＰαＦＶ，βＴＰ，ｆｖ＝ＰＦＶ＋（１／４）＊Ａ
【００５５】
「屈折力の遠方視鼻側半値幅」ＮＰ，ｆｖは、近方視注視方向（αＦＶ，βＦＶ）と、屈折力ＰαＦＶ，βＮＰ，ｆｖが、レンズの処方遠方視平均屈折力の値ＰＦＶ＋レンズの処方加入度Ａの１／４の値に達する場合のレンズの側頭側の注視方向（αＦＶ，βＮＰ，ｆｖ）との間の一定の俯角αにおける角距離として累進レンズの光学関数に対して定義される。
ＰαＦＶ，βＮＰ，ｆｖ＝ＰＦＶ＋（１／４）＊Ａ
【００５６】
「発生非点収差のモジュールの遠方視側頭半値幅」ＴＡ，ｆｖは、遠方視注視方向（αＦＶ，βＦＶ）と、発生非点収差のモジュールＡｓｒαＦＶ，βＴＡ，ｆｖがレンズの処方加入度Ａの１／４の値に達する場合のレンズの側頭側の注視方向（αＦＶ，βＴＡ，ｆｖ）との間の一定の俯角αにおける角距離として累進レンズの光学関数に対して定義される。
ＡｓｒαＦＶ，βＴＡ，ｆｖ＝Ａ／４
【００５７】
「発生非点収差のモジュールの遠方視鼻半値幅」ＮＡ，ｆｖは、遠方視注視方向（αＦＶ，βＦＶ）と、発生非点収差のモジュールＡｓｒαＦＶ，βＮＡ，ｆｖがレンズの処方加入度Ａの１／４の値に達する場合のレンズの鼻側の注視方向（αＦＶ，βＮＡ，ｆｖ）との間の一定の俯角αにおける角距離として累進レンズの光学関数に対して定義される。
ＡｓｒαＦＶ，βＮＡ，ｆｖ＝Ａ／４
【００５８】
「屈折力の遠方視側頭半値幅」ＴＰ，ｆｖは、遠方視注視方向（αＦＶ，βＦＶ）と、屈折力ＰαＦＶ，βＴＰ，ｆｖが０．２５Ｄの値に達する場合のレンズの側頭側の注視方向（αＦＶ，βＴＰ，ｆｖ）との間の一定の俯角αにおける角距離として遠方単焦点レンズの光学関数に対して定義される。
【００５９】
「屈折力の遠方視鼻側半値幅」ＮＰ，ｆｖは、近方視注視方向（αＦＶ，βＦＶ）と、屈折力ＰαＦＶ，βＮＰ，ｆｖが０．２５Ｄの値に達する場合のレンズの鼻側の注視方向（αＦＶ，βＮＰ，ｆｖ）との間の一定の俯角αにおける角距離として遠方単焦点レンズの光学関数に対して定義される。
【００６０】
「発生非点収差のモジュールの遠方視側頭半値幅」ＴＡ，ｆｖは、遠方視注視方向（αＦＶ，βＦＶ）と、発生非点収差のモジュールＡｓｒαＦＶ，βＴＡ，ｆｖが０．２５Ｄの値に達する場合のレンズの側頭側の注視方向（αＦＶ，βＴＡ，ｆｖ）との間の一定の俯角αにおける角距離として遠方単焦点レンズの光学関数に対して定義される。
【００６１】
「発生非点収差のモジュールの遠方視鼻半値幅」ＮＡ，ｆｖは、遠方視注視方向（αＦＶ，βＦＶ）と、発生非点収差のモジュールＡｓｒαＦＶ，βＮＡ，ｆｖが０．２５Ｄの値に達する場合のレンズの鼻側の注視方向（αＦＶ，βＮＡ，ｆｖ）との間の一定の俯角αにおける角距離として遠方単焦点レンズの光学関数に対して定義される。
【００６２】
「側頭半値幅」と「鼻半値幅」は、以下に列挙するパラメータなどの他の光学パラメータの類推により、及び／又は以下に列挙するような他の視領域の類推により、及び当然左眼ＬＥ用のレンズ及び／又は右眼ＲＥ用のレンズの類推により定義され得る。
【００６３】
「レンズの有効ゾーン」は、ある状況下の装着者により使用されるように意図されたレンズの領域を示す。有効ゾーンは、近方視、遠方視、中間視用レンズの部分内に、中心視、周辺視、及び上記の組み合わせ（例えば、中央近方視、周辺中間視など）用の領域などの有効領域を含む。有効ゾーンは装着者間で変わり得る。さらに、一人の装着者に関し、有効ゾーンはまた、レンズが装着される一般情勢を考慮する際に変化し得、したがって活動依存である（スポーツを行う、メークアップする、髭を剃る、読書する、電子タブレット又はスマートフォンを使用する、机で書き物をする、料理するためのレンズと眼鏡）。有効ゾーンはまたレンズの全体を指し得る。有効ゾーンは視標追跡により例えば視線追跡眼鏡により判断され得る。
【００６４】
「光学パラメータ」は当該技術分野において知られている。本発明によると、光学パラメータ（π）は視機能に影響を及ぼす判定基準である。
【００６５】
光学パラメータは以下のものから選択され得る：
近方視、遠方視、中間視用レンズの１つ又は複数の有効ゾーンにおける、
−  中心視における屈折力、中心視における非点収差、中心視における高次収差、中心視における明瞭度、中心視におけるプリズムによる光のフレ、視覚偏差、中心視における物体視野、中心視における像視野、中心視における倍率、又はこれらの変形を含む群から選択される中心視光学基準（ＣＶＯＣ：ｃｅｎｔｒａｌ  ｖｉｓｉｏｎ  ｏｐｔｉｃａｌ  ｃｒｉｔｅｒｉａ）のうちの任意の１つ；
−  周辺視における屈折力、周辺視における非点収差、周辺視における高次収差、瞳孔視野光線偏差、周辺視における物体視野、周辺視における像視野、周辺視におけるプリズムによる光のフレ、周辺視における倍率、又はこれらの変形を含む群から選択される周辺視光学基準（ＰＶＯＣ：ｐｅｒｉｐｈｅｒａｌ  ｖｉｓｉｏｎ  ｏｐｔｉｃａｌ  ｃｒｉｔｅｒｉａ）のうちの任意の１つ：
−  眼の倍率、側頭変位、又はこれらの変形を含む群から選択されるグローバル光学基準（ＧＯＣ：ｇｌｏｂａｌ  ｏｐｔｉｃａｌ  ｃｒｉｔｅｒｉａ）のうちの任意の１つ；
−  前又は後平均曲率、前又は後最小曲率、前又は後最大曲率、前又は後円柱軸、前又は後円柱、前又は後平均球、前又は後最大球、前又は後最小球、又はこれらの変形を含む群から選択される面基準（ＳＣ：ｓｕｒｆａｃｅ  ｃｒｉｔｅｒｉａ）のうちの任意の１つ、
−  上記基準のうちの任意の１つの最大値（又は、最小値、山から谷値、最大勾配値、最小勾配値、最大勾配値、最小勾配値、平均値）。
【００６６】
例えば、光学パラメータは以下のうちの任意のものの最大値（又は、最小値、山から谷値、最大勾配値、最小勾配値、最大勾配値、最小勾配値、平均値）であり得る：
−  所与の注視方向について、
−  例えば中心視、周辺視、近方視、遠方視、中間視用レンズの１つ又は複数の有効ゾーンにおけるレンズの２つ以上のゾーン、又はその組み合わせ、又は
−  適用可能な場合には、レンズ全体における、
発生非点収差、屈折力勾配、前面の平均球勾配、前面の円柱。
【００６７】
「中心視（ｃｅｎｔｒａｌ  ｖｉｓｉｏｎ）」（中心視（ｆｏｖｅａｌ  ｖｉｓｉｏｎ）とも称される）は、中心窩（数多くの円錐体の集合を含む網膜の中心における小領域）の働きについて説明する。中心視状況において、観察者は、注視方向にいる対象を見、観察者の中心窩は対象を追うために動かされる。中心視は、人が、読書し、運転し、精細かつ鮮明な視力を必要とする他の活動を行えるようにする。
【００６８】
「周辺視」は、直接視線外の対象と運動を見る能力を説明する。周辺視状況では、観察者は固定された注視方向を見、対象はこの直接視線外で見られる。このとき、対象から生じ目に向かう光線の方向は、注視方向とは異なるものであり、周辺光線方向と呼ばれる。周辺視は、主として桿体（網膜の中心窩の外に位置する光受容細胞）の働きである。
【００６９】
「周辺光線方向」は、目入射瞳（ｅｙｅ  ｅｎｔｒａｎｃｅ  ｐｕｐｉｌ）を中心とする基準軸に関して測定される２つの角度により定義され、注視方向軸に沿って移動する。
【００７０】
「中心視における屈折力判定基準」は、装着者が中心視において対象を観測する際にレンズにより生成される屈折力を指す。
【００７１】
「非点収差」は、いずれの場合も振幅又は振幅と軸の両方に関するレンズにより生成される非点収差、又は処方非点収差（装着者非点収差）とレンズ生成非点収差との差異に対応する残余非点収差（ｒｅｓｉｄｕａｌ  ａｓｔｉｇｍａｔｉｓｍ  ）（発生非点収差）を指す。
【００７２】
「中心視における非点収差判定基準」は、いずれの場合も振幅又は振幅と軸の両方に関するレンズにより生成される非点収差から選択される中心視における非点収差基準、又は処方非点収差（装着者非点収差）とレンズ生成非点収差との差異に対応する残余非点収差（発生非点収差）を指す。
【００７３】
「中心視における高次収差」は、一般的に残余屈折力と残余非点収差（例えば、球面収差、非対称収差）に加えて中心視において装着者により観測される対象の像のぼやけ（ｂｌｕｒｒｅｄｎｅｓｓ）を修正する収差を説明する。収差が参照される次数は通常、Ｚｅｒｎｉｋｅ多項式により表される次数である。
【００７４】
「周辺屈折力」は、装着者が周辺視において対象を観測する場合にレンズにより生成される屈折力として定義される。
【００７５】
「周辺非点収差」は、振幅又は振幅と軸の両方に関してレンズにより生成される非点収差として定義される。
【００７６】
「視覚偏差」は中心視において定義され、レンズ加えることで、レンズ無しの場合と比較して、同じ対象に焦点を合わせ続けるために目を回転させるということを説明する。角度はプリズムのジオプトリーすなわち度数で測定され得る。
【００７７】
「中心視における物体視野」は、少なくとも２つの注視方向により判断されるレンズの角部を走査することにより目が観測することができる空間の部分により物体空間において定義される。例えば、これらの注視方向は、眼鏡フレームの形状により定義する、又は十分に良好な鮮明さで物体空間を視覚化することを妨げる収差レベルにより定義することができる。
【００７８】
「像空間における中心視における像視野」は、物体空間において視野を視覚化するために目により走査される角部として、物体空間（目空間）における中心視において判断され固定される物体視野に対して定義される。
【００７９】
「周辺視における高次収差」は、一般的に残余周辺屈折力と残余周辺非点収差（例えば、周辺球面収差、周辺非対称収差）に加えて周辺視において装着者により観測される物体の像のぼやけを修正する収差を説明する。収差が参照される次数は通常、Ｚｅｒｎｉｋｅ多項式により表される次数である。
【００８０】
「瞳視野光線偏差（Ｐｕｐｉｌ  ｆｉｅｌｄ  ｒａｙ  ｄｅｖｉａｔｉｏｎ）」は、周辺視野に存在する物体から生ずる光線が、目入射瞳にその経路上のレンズを加えることにより、修正されるということを説明する。
【００８１】
「周辺視における物体視野」は物体空間において定義される。「周辺視における物体視野」は、目入射瞳の中心から発せられた少なくとも２つの光線により定義される視野の周辺視野において目が観測する（目が固定方向を見ながら）ことができる空間の部分である。例えば、これらの光線は、眼鏡フレームの形状により定義される、又は良好な十分な鮮明さで物体空間を視覚化することを妨げる収差レベルにより定義されることができる。
【００８２】
「周辺視における像視野」は、眼の周辺視により見られる像空間における当該角部として判断され固定された周囲物体視野に対して定義される。
【００８３】
「中心視におけるプリズムによる光のフレ」は、レンズのプリズムの量により導入される眼の回転中心から発せられた光線の角度変位により物体空間において定義される。
【００８４】
「周辺視におけるプリズムによる光のフレ」は、レンズのプリズムの量により導入される入射瞳の中心から発せられた光線の角度変位である。
【００８５】
「中央／周辺視における倍率」は、レンズの無い中央／周辺視において見られる物体の見かけの角寸法（すなわち立体角）と、中央／周辺視においてレンズを通して見られる物体の見かけの角寸法（すなわち立体角）との比として定義される。
【００８６】
「眼の倍率」は、観察者により評価される装着者の眼の倍率として定義される。
【００８７】
「側頭変位」は、観察者により評価される装着者側頭のオフセットとして定義される。
【００８８】
「最小曲率」ＣＵＲＶｍｉｎは、次式により非球面上にいずれかの点で定義される。
【数５】
0006275709.tif 000006
ここで、Ｒｍａｘは最大曲率半径でありメートルで表され、ＣＵＲＶｍｉｎはｍ−１で表される。
【００８９】
「最大曲率」ＣＵＲＶｍａｘは、次式により非球面上にいずれかの点で定義することができる。
【数６】
0006275709.tif 000007
ここで、Ｒｍｉｎは局所最小曲率半径でありメートルで表され、ＣＵＲＶｍａｘはｍ−１で表される。
【００９０】
ＳＰＨｍｉｎとＳＰＨｍａｘと標記された「最小及び最大球」は、考察される面の種類に従って導出することができる。
【００９１】
考察される面が物体側面（前面）であるとき、式は次のようになる。
【数７】
0006275709.tif 000008
ここで、ｎはレンズの構成材料の屈折率である。
【００９２】
考察される面が眼球側面（裏面）である場合、式は次のようになる。
【数８】
0006275709.tif 000009
ｎはレンズの構成材料の屈折率である。
【００９３】
非球面上の任意の点における「平均球」ＳＰＨｍｅａｎもまた次式により定義することができる。
【数９】
0006275709.tif 000010
【００９４】
したがって、平均球の式は考察される面に依存する。
−  面が物体側面である場合、
【数１０】
0006275709.tif 000011
−  面が眼球側面である場合、
【数１１】
0006275709.tif 000012
−  円柱ＣＹＬもまた次式により定義される。
ＣＹＬ＝｜ＳＰＨｍａｘ−ＳＰＨｍｉｎ｜
【００９５】
「円柱軸」γＡＸは、基準軸対する及び選択回転方向における最大曲率ＣＵＲＶｍａｘの配向の角度である。ＴＡＢＯ記法では、装着者方向を見て、基準軸は水平であり（この基準軸の角度は０°）、回転方向は眼毎に反時計回りである（０°≦γＡＸ≦１８０°）。したがって、＋４５°の円柱軸γＡＸの軸値は、装着者方向を見て斜めに配向された軸を表し、右上の象限から左下の象限まで延びる。
【００９６】
レンズの任意の非球面の特性は局所平均球と円柱により表され得る。
【００９７】
したがって、面は、最大球ＳＰＨｍａｘ、最小球ＳＰＨｍｉｎ、円柱軸γＡＸにより構成されるトリプレットにより局所的に定義され得る。又は、トリプレットは、平均球ＳＰＨｍｅａｎ、円柱ＣＹＬ、円柱軸γＡＸにより構成され得る。
【００９８】
「マイクロマーキング」は整合規格ＩＳＯ８９９０−２により累進レンズに対し義務付けられた。「一時的なマーキング」をレンズの２面のうちの少なくとも一方に適用して、レンズ上の制御点（基準点）、例えば遠方視の制御点、近方視の制御点、プリズム基準点、及びフィッティング十字などの位置を示してもよい。プリズム基準点ＰＲＰ（ｐｒｉｓｍ  ｒｅｆｅｒｅｎｃｅ  ｐｏｉｎｔ）は、本明細書では、マイクロマーキングを接続する直線の線分の中間点において考慮される。一時的なマーキングが存在しない又は消されている場合、当業者は実装図と恒久的マイクロマーキングを使用することによりレンズ上に制御点を位置決めすることが常に可能である。同様に、半仕上げレンズブランク上では、規格ＩＳＯ１０３２２−２はマイクロマーキングが適用されることを要求する。したがって、上述のような基準だけでなく半仕上げレンズブランクの非球面の中心も判断され得る。
【００９９】
「インセット」は当該技術分野において知られており、以下のように定義され得る。累進加入度レンズでは、レンズがその装着者により有用な位置にあるとき、近方視点（近方視点は、近方視において装着者が注視できるようにする注視方向との交差点に対応し、この注視方向は経線に属する）は、遠方視点を通る垂直線に対して水平方向にずらされることができる。レンズの鼻側の方向にあるこの変位は「インセット」と呼ばれる。インセットは通常、特にレンズの屈折力、物体の観察の距離、レンズのプリズムによる光のフレ、眼レンズ距離など多くのパラメータに依存する。インセットは、レンズ注文の時に眼鏡屋により選択される入力パラメータであり得る。インセットは、計算により又は注文データ（処方データ）に基づき光線追跡により判断され得る。
【０１００】
「眼用レンズ材料組成」は眼用レンズを作製するために好適な任意の組成を指す。当業者はこのような組成に精通している。その例としては、ポリカーボネート、ポリウレタン、ポリ（チオウレタン）、ポリアミド、ポリイミド、ポリスルフホン、ポリカーボネート−エチレンテレフタラート共重合体、ポリノルボルネンなどのポリオレフィン、アリルジグリコール炭酸塩単独重合体又は共重合体、（メタ）アクリル酸単独重合体及び共重合体、チオ（メタ）アクリル単独重合体及び共重合体、エポキシ樹脂、及びエピスルフィド樹脂からなる群から選択され得る熱可塑性樹脂又は熱硬化性材料などの有機ガラスの組成が挙げられる。
【０１０１】
「装着者データ」（ＷＤ：Ｗｅａｒｅｒ  ｄａｔａ）は、装着者に関して得られた１つ又は複数のデータを示す。装着者データは通常、「装着者処方データ」（ＷＰＤ：ｗｅａｒｅｒ  ｐｒｅｓｃｒｉｐｔｉｏｎ  ｄａｔａ）及び／又は「装着者生物測定学データ」（ＷＢＤ：ｗｅａｒｅｒ  ｂｉｏｍｅｔｒｙ  ｄａｔａ）を含む。処方データは上記に定義されている。装着者生物測定学データは、装着者の形態に関連するデータを含み、通常、片眼瞳孔間距離（ｍｏｎｏｃｕｌａｒ  ｐｕｐｉｌｌａｒｙ  ｄｉｓｔａｎｃｅ）、瞳孔間距離（ｉｎｔｅｒ−ｐｕｐｉｌｌａｒｙ  ｄｉｓｔａｎｃｅ）、眼の軸長、眼の回転中心（ＣＲＥ：ｃｅｎｔｅｒ  ｏｆ  ｒｏｔａｔｉｏｎ  ｏｆ  ｔｈｅ  ｅｙｅ）の位置のうちの１つ又は複数を含む。装着者データはまた、装着時前傾角（ｐａｎｔｏｓｃｏｐｉｃ  ａｎｇｌｅ）、そり角（ｗｒａｐ  ａｎｇｌｅ）、又は頂点距離などの装着者により装着されるフレームに関連するデータである「装着者フレームデータ」を含み得る。装着者データはまた、頭／眼利得などの挙動データ、又はＣＡＰＥ角度などの姿勢データを含み得る。装着者データは通常、眼毎に提供されるが、両眼生物測定学（ｂｉｎｏｃｕｌａｒ  ｂｉｏｍｅｔｒｙ）データも含み得る。
【０１０２】
「装着者利き手データ」（ＷＨＤ：Ｗｅａｒｅｒ  ｈａｎｄｅｄｎｅｓｓ  ｄａｔａ）は、装着者の利き手を示すデータを指す。このようなデータは、後で述べるように例えば−１００〜＋１００の間の値を取る利き手パラメータ（Ｈ：ｈａｎｄｅｄｎｅｓｓ）の形式の定性的（左利き又は右利き）又は定量的データであり得る。
【０１０３】
「フレームデータ」（ＦＤ：Ｆｒａｍｅ  ｄａｔａ）は、眼鏡フレームを特徴付ける一組の１つ又は複数のデータを指す。フレームデータは、取り付け対象のレンズの寸法（長さと高さ）、レンズの取り付け対象フレームの内縁形状、レンズ間距離（ＤＢＬ：ｄｉｓｔａｎｃｅ  ｂｅｔｗｅｅｎ  ｌｅｎｓｅｓ）、フレームの凸性、フレーム縁の傾斜角などのうちの１つ又は複数を含み得る。フレームデータはまた、レンズ設計のタイプ、レンズ材料、レンズ上の１つ又は複数の可能な被覆の選択などの別の情報まで拡張し得る。フレームデータは、例えばフレーム読み取り機を使用することにより実際のフレーム上の物理的測定により取得され得る。フレームデータはまた、カタログからの、又は一組（一連）の所定のフレームからの参照から構成され得る。
【０１０４】
「レンズデータ」（ＬＤ：Ｌｅｎｓ  ｄａｔａ）は、眼用レンズを特徴付ける一組の１つ又は複数のデータを指す。レンズデータは、１つ又は複数の幾何学的（面）特性、及び／又はレンズ材料の光学的指標などのレンズの１つ又は複数の光学特性を定義するデータを含む。このような特性は上に挙げた光学パラメータの中から選択され得る。レンズデータは、電子ファイル（例えば、面ファイル）の形式である可能性がある。前記面ファイルは、例えば半仕上げブランクの裏面を機械加工することにより入手可能な製造対象レンズの仕上げ裏面に対応し得る。前記面ファイルは代案として、製造対象レンズの前面に対応し得る。前記レンズデータはまた、２つの面ファイル（前面と裏面のそれぞれの面ファイル）、前面と裏面の相対位置、及びレンズ材料の屈折率を含み得る。
【０１０５】
「眼用レンズの目標光学関数」はレンズが到達すべきグローバル光学性能を表す（すなわち、眼用レンズが有すべき一組の特性）。本発明との関連では及び本明細書の残りの部分では、便宜上、用語「レンズの目標光学関数」が使用される。この使用は、眼用レンズとエルゴラマの系に対しては、目標光学関数が所与の装着者に関して定義される限りでは、厳密に正しいというわけでない。
【０１０６】
このような系の光学的目標関数は、多くの所与の注視方向において定義された一組の１つ又は複数の光学パラメータの目標値である。目標値は各所与の注視方向における光学パラメータ毎に定義される。得られた一組の光学パラメータ目標値が目標光学関数である。
【０１０７】
一態様では、目標光学関数は単一の光学パラメータ（例えば、屈折力、残余非点収差、非点収差）で定義され得る。別の態様では、目標光学関数は、屈折力及び残余非点収差又は屈折力及び非点収差などの２つの光学パラメータで定義され得る。別の態様では、目標光学関数は、屈折力と非点収差の線形結合など別の光学パラメータで定義され得る、又は、高次の収差を含む他のパラメータが考慮され得る。目標光学関数において使用される光学パラメータの数Ｎは所望の精度のレベルに依存する。実際、光学パラメータが多ければ多いほど、得られるレンズが装着者の要件を満足させる可能性が高くなる。但し、パラメータの数Ｎを増やすと計算にかかる時間が増加し得る。考慮されるパラメータの数Ｎの選択はこれらの２つの要件間のトレードオフであり得る。目標光学関数、光学パラメータ定義、及び光学パラメータ評価についてのより詳細については、国際公開第２０１１／０４２５０４号パンフレットに見出すことができる。
【０１０８】
目標光学関数はレンズ「光学的最適化」方法において使用される。本方法は通常、以下の工程を含む。
−  目標光学関数を定義する工程であって、目標光学関数が定義される工程。前記目標光学関数は、通常、装着者処方データ、装着者生物測定学データ、及び頭／眼の挙動を含む装着者の挙動などの他の要素を考慮することにより設計される、
−  初期のレンズを定義する工程、
−  現在のレンズを定義する工程であって、現在の光学関数は現在のレンズに対して定義され、現在のレンズが初期のレンズと当初定義される、工程、
−  例えば現在のレンズの修正により現在の光学関数と目標光学関数との間の差を最小化するための光学的最適化の１つ又は複数の工程。
【０１０９】
上記から、当業者は、「現在の光学関数」又は「中間光学関数」が所与のレンズに対して定義されると理解する。前記現在又は中間のレンズの現在又は中間光学関数は、目標光学関数と同様に同じ注視方向における同じ光学パラメータの前記レンズにより達成される一組の値である。光学的最適化の目的は、現在の光学関数と目標光学関数との差を最小化することである。最適化は、例えば光線追跡法を使用することにより反復的に行われ得る。目標定義を使用するレンズ光学的最適化の例は欧州特許出願公開第Ａ−０９９０９３９号明細書に記載されている。
【０１１０】
［発明の詳細な説明］
眼用レンズの提供
本発明は、装着者により装着されるように意図され、装着者の利き手に応じて設計される眼用レンズを提供するシステムと方法に関する。レンズが装着者の利き手に応じて設計されるということは、レンズ特性の少なくとも１つが装着者の利き手を考慮して選択されるということを意味する。このような特性はレンズ面パラメータとレンズ光学パラメータを含む。
【０１１１】
レンズは好適には眼鏡多焦点累進式眼用レンズ、より好適には多焦点累進式眼用レンズであるがこれらに限定されない。
【０１１２】
レンズ供給システム
本発明は、装着者により装着されるように意図された眼用レンズを提供するための眼用レンズ供給システムを提供する。
【０１１３】
眼用レンズ供給システムは眼用レンズを発注するのに好適な第１の処理手段（ＰＭ１：ｐｒｏｃｅｓｓｉｎｇ  ｍｅａｎｓ１）を含む。前記第１の処理手段（ＰＭ１）はレンズ発注側（ＬＯＳ：  ｌｅｎｓ  ｏｒｄｅｒｉｎｇ  ｓｉｄｅ）に置かれる。レンズ発注側（ＬＯＳ）は通常、装着者（顧客）のレンズが発注されるアイケア専門家又は眼鏡屋の構内にある。
【０１１４】
第１の処理手段（ＰＭ１）は、
−  装着者処方データ（ＷＰＤ）と場合により装着者生物測定学データ（ＷＢＤ）を含む装着者データ（ＷＤ）の入力に好適な入力手段（ＩＭ１）であって装着者処方データ（ＷＰＤ）の入力に特に好適な入力手段（ＩＭ１）と、
−  装着者利き手データ（ＷＨＤ）の入力に好適な入力手段（ＩＭ２）とを含む。
【０１１５】
眼用レンズ供給システムはさらに、装着者データ（ＷＤ、ＷＰＤ、ＷＢＤ）と装着者利き手データ（ＷＨＤ）とに基づきレンズデータ（ＬＤ）を提供するのに好適な第２の処理手段（ＰＭ２）を含む。前記第２の処理手段（ＰＭ２）はレンズ決定側（ＬＤＳ：ｌｅｎｓ  ｄｅｔｅｒｍｉｎａｔｉｏｎ  ｓｉｄｅ）に置かれており、前記レンズデータ（ＬＤ）を出力するのに好適な出力手段（ＯＭ：ｏｕｔｐｕｔｔｉｎｇ  ｍｅａｎｓ）を含み得る。本発明によると、前記レンズデータは第２の送信手段（ＴＭ（ｔｒａｎｓｍｉｔｔｉｎｇ  ｍｅａｎｓ）２）によりレンズ設計側（ＬＤＳ：ｌｅｎｓ  ｄｅｓｉｇｎｉｎｇ  ｓｉｄｅ）からレンズ製造側（ＬＭＳ：ｌｅｎｓ  ｍａｎｕｆａｃｔｕｒｉｎｇ  ｓｉｄｅ）へ送信され得る。
【０１１６】
レンズ決定側（ＬＤＳ）は、本明細書に記載されるようなレンズ決定方法のいずれかを行うのに好適かつ有利であり後で述べるようなコンピュータプログラム製品を有利には含み得る処理手段を備える。
【０１１７】
眼用レンズ供給システムはさらに、前記装着者データ（ＷＤ、ＷＰＤ、ＷＢＤ）と装着者利き手データ（ＷＨＤ）とを前記第１の処理手段（ＰＭ１）から前記第２の処理手段（ＰＭ２）へ送信するのに好適な第１の送信手段（ＴＭ１）を含む。
【０１１８】
上記入力手段（ＩＭ）のそれぞれは関連データの入力に好適な任意の入力手段でよい。前記入力手段は、媒介インターフェースに合わせて好適には選択され（例えば、表示手段に接続されて使用され得る）、ＰＣ又はラップトップなどのコンピュータ、タブレット、ハンドセット、端末、リモコンなどのキーボードであり得る。本発明のシステムはさらに、レンズ取り付け用フレームのフレームデータ（ＦＤ）の入力に好適な入力手段（ＩＭ３）及び／又は装着者生物測定学データ（ＷＢＤ）の入力に好適な入力手段（ＩＭ４）を含み得る。
【０１１９】
本発明によると、入力手段（ＩＭ１〜ＩＭ４）は互いに異なる、又は（部分的又は全面的に）組み合わせられ得る。例えば、（ＩＭ１）＝（ＩＭ２）又は（ＩＭ１）＝（ＩＭ２）＝（ＩＭ４）などであり得る。
【０１２０】
一態様では、本発明の眼用レンズ供給システムはさらに、
−  レンズデータ（ＬＤ）に基づき眼用レンズを製造するのに好適でありレンズ製造側（ＬＭＤ）に置かれる製造手段（ＭＭ：ｍａｎｕｆａｃｔｕｒｉｎｇ  ｍｅａｎｓ）と、
−  レンズデータ（ＬＤ）を前記第２の処理手段（ＰＭ２）から前記製造手段（ＭＭ）へ送信するのに好適な第２の送信手段（ＴＭ２）とを含む。
【０１２１】
レンズ製造側は通常、光学研究所、すなわち既に取得又は生成されたレンズデータに基づきレンズ発注に従うレンズを製造する製造手段を備えた場所に置かれる。
【０１２２】
レンズ製造手段（ＭＭ）は当該技術分野において知られており、当業者は適切な製造手段に精通している。前記製造手段は、ディジタル面仕上げ手段、研磨手段、面取り手段などのうちの１つ又は複数の面仕上げ手段を含み得る。レンズ製造側（ＬＭＳ）は、様々な面仕上げ手段及び／又はいくつかの研磨手段などを含む製造手段の組み合わせを含み得る。
【０１２３】
レンズ製造側はさらに、情報を第２の処理手段から受信するのに好適な入力手段を含み得、さらにこの情報を当該製造手段へ送信し得る。
【０１２４】
レンズ製造側（ＬＭＳ）はさらに第３の処理手段（ＰＭ３）を含み得る。第３の処理手段はさらに、例えば特定の製造手段の指定（選択）又は特定の製造手段により使用される製造規則の指定（選択）（例えば、所与の製造プロトコルの選択又は特定の製造手段の設定に関する特定の製造パラメータの識別）などの製造手段に対するデータを送信し得る。
【０１２５】
本発明のシステムでは、送信手段（ＴＭ１、ＴＭ２）はあらゆるタイプの適切な送信手段を含み得る。当業者は、レンズ供給システムの分野で役立つ適切な送信手段に精通している。適切な手段は、例えば１つ又は複数のサーバを介したインターネット接続などによる電子通信、ｅ−ｍａｉｌ通信などを含む。
【０１２６】
本発明の一態様では、第１及び／又は第２及び／又は第３の処理手段（ＰＭ１、ＰＭ２、ＰＭ３）はコンピュータエンティティであり得、メモリ（ＭＥＭ：ｍｅｍｏｒｙ）を含み得る。コンピュータエンティティは１つ又は複数のサーバを介し互いに接続され得る。前記サーバはメモリの形式の格納手段を含み得る。
【０１２７】
メモリは当該技術分野において知られており、当業者はレンズ供給システム内の実装に好適なメモリに精通している。メモリは、入力データ、出力データ、中間データ（例えば、中間計算結果）などのデータを格納するのに好適であり得る。メモリは作業メモリとして、及び／又は一連の命令を格納するのに有用であり得る。メモリは１つ又は複数の格納要素／手段内に設けられ得、サーバの一部であり得る。
【０１２８】
本発明の例示的眼用レンズ供給システムを図２３に概略的に示す。
【０１２９】
眼用レンズ決定方法
本発明は、装着者により装着されるように意図された眼用レンズを決定するためのコンピュータ実施方法を提供する。
【０１３０】
一態様では、本方法は、
−  装着者の利き手に関するデータを提供する工程（ＳＨ）と、
−  装着者の利き手を考慮して眼用レンズを決定する工程（ＳＬ）とを含む。
【０１３１】
工程（ＳＨ）では、装着者の利き手に関するデータは、眼鏡屋での（場合によっては、瞬時の）判断から発生し得るが、眼鏡屋により又は第三者により既に取得され得る。例えば、装着者の利き手に関するデータは、既に決定されており、したがって既に装着者の個人ファイル（顧客ファイル）に登録されていることもあり、したがって装着者のファイルから生年月日、住所などの他の情報と共に容易に複製又はインポートされ得る。装着者の利き手を判断する方法については後で詳細に説明する。
【０１３２】
一態様では、本発明の方法は上に定義されたような工程（ＳＨ）と工程（ＳＬ）を含む。眼用レンズを決定する工程（ＳＬ）は、
−  装着者の利き手に従って設計された一連の眼用レンズからレンズを選択する工程（ＳＳＲ）又は
−  計算工程（ＣＳ：ｃａｌｃｕｌａｔｉｏｎ  ｓｔｅｐ）又は
−  光学的最適化による決定工程（ＯＰＴＩＭ）
から選択される。
【０１３３】
本発明の例示的方法を図２４に概略的に示す。
【０１３４】
選択による眼用レンズの決定方法
一態様では、本発明は眼用レンズを決定するコンピュータ実施方法を提供する。本方法は上に定義されたような工程（ＳＨ）を含み、工程（ＳＬ）は装着者の利き手に従って設計された一連の眼用レンズからレンズを選択する工程（ＳＳＲ）である。
【０１３５】
本方法によると、アイケア専門家は、例えばカタログ（例えば、オンラインカタログ）から、装着者の利き手に応じて好適なレンズを選択し得る。
【０１３６】
計算による眼用レンズ決定方法
一態様では、本発明は、装着者により装着されるように意図された眼用レンズを決定するためのコンピュータ実施方法を提供する。本方法は、
−  装着者の利き手に関するデータを提供する工程（ＳＨ）と、
−  眼用レンズを決定する工程（ＳＬ）とを含み、眼用レンズを決定する工程（ＳＬ）は計算工程（ＣＳ）であり、装着者の利き手を考慮する。
【０１３７】
一実施形態では、計算工程（ＣＳ）は米国特許出願第６７８６６００号明細書に記載及び／又は請求されたもので有り得る。一実施形態によると、計算工程は、それぞれが所与の処方範囲に対し好適である一組の面を提供する工程と、この一組から選択された１つの面と球状又はトーリック面とを組み合わせる工程とを含む。一実施形態によると、２つ以上の面が、組み合わせられる前に、利き手に応じて所望の光学性能に達するように選択され重み付けられる（例えば、利き手に応じて非対称性を鼻／側頭半値幅に導入することにより、以下参照）。
【０１３８】
別の実施形態では、計算工程（ＣＳ）は、
−  一組の面を提供する工程（Ｓ１）と、
−  前記一組の面から少なくとも２つの面を選択する工程（Ｓ２）と、
−  選択されたレンズを得るように、選択された面を加算又は減算する工程（Ｓ３）とを含んでもよく、前記一組の面は利き手依存面を含み、少なくとも２つの面を選択する工程は装着者の利き手に応じて少なくとも１つの利き手固有面を選択する工程を含む。
【０１３９】
決定された目標光学関数に対する光学的最適化による眼用レンズ決定方法
光学的最適化の一般的原理については上記定義の章において説明した。本発明は、装着者により装着されるように意図された眼用レンズを決定するためのコンピュータ実施方法を提供する。前記装着者には処方データを含む処方箋が発行され、眼用レンズは好適には累進眼用レンズである。
【０１４０】
本発明は、眼用レンズを決定するためのコンピュータ実施方法を提供する。本方法は、上に定義されるような工程（ＳＨ）とレンズ（ＳＬ）を決定する工程とを含み、前記工程（ＳＬ）は光学的最適化による決定工程（ＯＰＴＩＭ）である。
【０１４１】
光学的最適化（ＯＰＴＩＭ）による決定工程は、
−  エルゴラマを選択する工程（Ｓａ）と、
−  装着者の処方データに応じて前記レンズ（実際には、レンズ／エルゴラマ系）の目標光学関数を定義する工程（Ｓｂ）と、
−  定義された目標光学関数に関する最適化を行う工程（Ｓｃ）とを含んでもよい。
【０１４２】
一態様では、工程（Ｓｃ）は、
−  初期のレンズを選択すること、
−  現在のレンズを定義することであって、現在の光学関数は現在のレンズに対し定義され、現在のレンズは初期のレンズとして当初定義されること、
−  例えばコスト又はメリット関数により現在の光学関数と目標光学関数との差を最小化するための光学的最適化を行うことにより、
最適化を行う工程であり得る。
−  光学的最適化は通常、現在のレンズを修正することにより行われる。現在の光学関数は光線追跡法を使用することにより得られてもよい。光学的最適化は反復により進み得る。
【０１４３】
上記光学的最適化（ＯＰＴＩＭ：ｏｐｔｉｃａｌ  ｏｐｔｉｍｉｚａｔｉｏｎ）は、連続的方法で（一方の眼に対し、次に他方の眼に対し）又は並行に（両眼に対し同時に）行われ得る。
【０１４４】
利き手依存エルゴラマを利用した、決定された目標光学関数に関する光学的最適化による眼用レンズ決定方法
一実施形態では、前記エルゴラマは利き手依存である。エルゴラマは、サイクロピアン座標系においてエルゴラマを非対称性にすることにより利き手に応じて定義され得る。例えば、物体距離（又は近接性）を利き手に応じて非対称性にすることが可能である。一例では、近接性（距離−１）が手書き側の近方視ゾーン内で改善され得る。
【０１４５】
別の実施形態では、前記エルゴラマは利き手依存かつ活動依存である。
【０１４６】
したがって、エルゴラマは、装着者の利き手の及びレンズを装着する際の目的とする活動（スポーツを行う、読む、映画に行く、机で仕事をするなど）に応じて設計される。
【０１４７】
別の実施形態では、光学的最適化（ＯＰＴＩＭ）は、前記エルゴラマが利き手依存（及び任意選択的に活動依存）となるように、及び／又は目標光学関数が装着者の利き手に応じて設計されるように、される。
【０１４８】
利き手に応じて鼻／側頭半値幅の非対称性を有する目標光学関数
本発明の方法では、光学的最適化（ＯＰＴＩＭ）による決定工程は、目標光学関数を定義する工程（Ｓｂ）を含み得る。工程（Ｓｂ）は、
−  近方視注視方向に対する近方視ゾーン、
−  経線に関する中間視ゾーン、
−  装着者の利き手に応じて目標光学関数の遠方視注視方向に対する遠方視ゾーン、のうちの１つ又は複数の鼻／側頭視野半値幅を非対称性にする工程を含む。
【０１４９】
一態様では、利き手は、目標光学関数の鼻／側頭半値幅が装着者の利き手に応じて非対称にされるという点で考慮される。
【０１５０】
一態様では、目標光学関数は、
−  近方視注視方向に対する近方視ゾーン、
−  経線に関する中間視ゾーン、
−  遠方視注視方向に対する遠方視ゾーン、のうちの１つ又は複数の鼻／側頭半値幅が装着者の利き手に応じて非対称であるという点で非対称である。
【０１５１】
一態様によると、目標光学関数は、近方視鼻／側頭半値幅が装着者の利き手に応じて非対称となるようにされる。
【０１５２】
半値幅は、本明細書に記載されるように任意の光学パラメータに対して、特に発生非点収差のモジュールに対して及び／又は屈折力に対して定義され得る。
【０１５３】
一実施形態では、左利き装着者に関して、屈折力の近方視側頭半値幅と近方視鼻半値幅の差と和との比は０より小さい又は０にほぼ等しい値（（ＴＰ，ｎｖ−ＮＰ，ｎｖ）／（ＴＰ，ｎｖ＋ＮＰ，ｎｖ）≦０）に設定され及び／又は発生非点収差のモジュールの近方視側頭半値幅と近方視鼻半値幅の差と和との比は０より小さい又は０にほぼ等しい値（（ＴＡ，ｎｖ−ＮＡ，ｎｖ）／（ＴＡ，ｎｖ＋ＮＡ，ｎｖ）≦０）に設定される。これらの比は個々に又は両方ともに厳密に０より小さな値（例えば、＜−０．１０、＜−０．１５、＜−０．２０、＜−０．２５）に設定され得る。レンズは好適には装着者の右眼用である。
【０１５４】
別の実施形態では、左利き装着者に関し、屈折力の近方視側頭半値幅と近方視鼻半値幅の差と和との比は０より大きい値又は０にほぼ等しい値（（ＴＰ，ｎｖ−ＮＰ，ｎｖ）／（ＴＰ，ｎｖ＋ＮＰ，ｎｖ）≧０）に設定される及び／又は発生非点収差のモジュールの近方視側頭半値幅と近方視鼻半値幅の差と和との比は０より大きい値又は０にほぼ等しい値（（ＴＡ，ｎｖ−ＮＡ，ｎｖ）／（ＴＡ，ｎｖ＋ＮＡ，ｎｖ）≧０）に設定される。これらの比は、個々に又は両方ともに厳密に０より大きな値（例えば、＞０．１０、＞０．１５、＞０．２０、＞０．２５）に設定される。レンズは好適には装着者の左眼用である。
【０１５５】
別の実施形態では、左利き装着者に関して、屈折力の近方視側頭半値幅と近方視鼻半値幅の差と和との比はほぼ０（（ＴＰ，ｎｖ−ＮＰ＿ｎｖ）／（ＴＰ，ｎｖ＋ＮＰ，ｎｖ）＝０）に設定される、及び／又は発生非点収差のモジュールの近方視側頭半値幅と近方視鼻半値幅の差と和との比はほぼ０（（ＴＡ，ｎｖ−ＮＡ，ｎｖ）／（ＴＡ，ｎｖ＋ＮＡ，ｎｖ）＝０）に設定される。
【０１５６】
上記目標光学関数は対をなし得る（ＲＥ／ＬＥ）。
【０１５７】
一実施形態では、右利き装着者に関して、屈折力の近方視側頭半値幅と近方視鼻半値幅の差と和との比は０より大きい値又は０にほぼ等しい値（（ＴＰ，ｎｖ−ＮＰ，ｎｖ）／（ＴＰ，ｎｖ＋ＮＰ，ｎｖ）≧０）に設定される、及び／又は発生非点収差のモジュールの近方視側頭半値幅と近方視鼻半値幅の差と和との比は０より大きい値又は０にほぼ等しい値（（ＴＡ，ｎｖ−ＮＡ，ｎｖ）／（ＴＡ，ｎｖ＋ＮＡ，ｎｖ）≧０）に設定される。これらの比は個々に又は両方ともに厳密に０より大きな値（例えば、＞０．１０、＞０．１５、＞０．２０、＞０．２５）に設定される。レンズは好適には装着者の右眼用である。
【０１５８】
別の実施形態では、右利き装着者に関して、屈折力の近方視側頭半値幅と近方視鼻半値幅の差と和との比は０より小さい又は０にほぼ等しい値（（ＴＰ，ｎｖ−ＮＰ，ｎｖ）／（ＴＰ，ｎｖ＋ＮＰ，ｎｖ）≦０）に設定される、及び／又は発生非点収差のモジュールの近方視側頭半値幅と近方視鼻半値幅の差と和との比は０より小さい又は０にほぼ等しい値（（ＴＡ，ｎｖ−ＮＡ，ｎｖ）／（ＴＡ，ｎｖ＋ＮＡ，ｎｖ）≦０）に設定される。これらの比は個々に又は両方ともに厳密に０より小さな値（例えば、＜−０．１０、＜−０．１５、＜−０．２０、＜−０．２５）に設定される。レンズは好適には装着者の左眼用である。
【０１５９】
上記目標光学関数は対にされ得る（ＲＥ／ＬＥ）。
【０１６０】
一態様によると、目標光学関数は、遠方視鼻／側頭半値幅が装着者の利き手に応じて非対称であるようになっている。有利には、視野は書字手の側でより開いている（半値幅がより大きい）。
【０１６１】
一実施形態では、左利き装着者に関して、屈折力の遠方視側頭半値幅と遠方視鼻半値幅の差と和との比は０より小さい又は０にほぼ等しい値（（ＴＰ，ｆｖ−ＮＰ，ｆｖ）／（ＴＰ，ｆｖ＋ＮＰ，ｆｖ）≦０）に設定され、及び／又は発生非点収差のモジュールの遠方視側頭半値と遠方視鼻半値幅の差と和との比は０より小さい又は０にほぼ等しい値（（ＴＡ，ｆｖ−ＮＡ，ｆｖ）／（ＴＡ，ｆｖ＋ＮＡ，ｆｖ）≦０）に設定される。これらの比は個々に又は両方ともに厳密に０より小さな値（例えば、＜−０．１０、＜−０．１５、＜−０．２０、＜−０．２５）に設定され得る。レンズは好適には装着者の右眼用である。
【０１６２】
別の実施形態では、左利き装着者に関して、屈折力の遠方視側頭半値幅と遠方視鼻半値幅の差と和との比は０より大きい値又は０にほぼ等しい値（（ＴＰ，ｆｖ−ＮＰ，ｆｖ）／（ＴＰ，ｆｖ＋ＮＰ，ｆｖ）≧０）に設定され、及び／又は発生非点収差のモジュールの遠方視側頭半値と遠方視鼻半値幅の差と和との比は０より大きい値又は０にほぼ等しい値（（ＴＡ，ｆｖ−ＮＡ，ｆｖ）／（ＴＡ，ｆｖ＋ＮＡ，ｆｖ）≧０）に設定される。これらの比は個々にそれぞれ又は両方とも厳密に０より大きな値（例えば、＞０．１０、＞０．１５、＞０．２０、＞０．２５）に設定される。レンズは好適には装着者の左眼用である。
【０１６３】
上記目標光学関数は対にされ得る（ＲＥ／ＬＥ）。
【０１６４】
一実施形態では、右利き装着者に関して、屈折力の遠方視側頭半値幅と遠方視鼻半値幅の差と和との比は０より大きい値又は０にほぼ等しい値（（ＴＰ，ｆｖ−ＮＰ，ｆｖ）／（ＴＰ，ｆｖ＋ＮＰ，ｆｖ）≧０））に設定され、及び／又は発生非点収差のモジュールの遠方視側頭半値と遠方視鼻半値幅の差と和との比は０より大きい値又は０にほぼ等しい値（（ＴＡ，ｆｖ−ＮＡ，ｆｖ）／（ＴＡ，ｆｖ＋ＮＡ，ｆｖ）≧０））に設定される。これらの比は個々に又は両方ともに厳密に０より大きな値（例えば、＞０．１０、＞０．１５、＞０．２０、＞０．２５）に設定される。レンズは好適には装着者の右眼用である。
【０１６５】
別の実施形態では、右利き装着者に関して、屈折力の遠方視側頭半値幅と遠方視鼻半値幅の差と和との比は０より小さい又は０にほぼ等しい値（（ＴＰ，ｆｖ−ＮＰ，ｆｖ）／（ＴＰ，ｆｖ＋ＮＰ，ｆｖ）≦０）に設定され、及び／又は発生非点収差のモジュールの遠方視側頭半値と遠方視鼻半値幅の差と和との比は０より小さい又は０にほぼ等しい値（（ＴＡ，ｆｖ−ＮＡ，ｆｖ）／（ＴＡ，ｆｖ＋ＮＡ，ｆｖ）≦０）に設定される。これらの比は個々に又は両方ともに厳密に０より小さな値（例えば、＜−０．１０、＜−０．１５、＜−０．２０、＜−０．２５）に設定される。レンズは好適には装着者の左眼用である。
【０１６６】
上記目標光学関数は対にされ得る（ＲＥ／ＬＥ）。
【０１６７】
上記非対称は、近方視ゾーン（ＮＶ）内、中間視ゾーン（ＩＶ）内、又は遠方視ゾーン（ＦＶ）内にかかわらず他の光学パラメータπに対して一般化され得る。
【０１６８】
一態様によると、目標光学関数は、鼻／側頭半値幅が装着者の利き手に応じて非対称であるようになっている。非対称は、遠方視ゾーン内又は近方視ゾーン内にかかわらず発生非点収差及び／又は屈折力及びその組み合わせに適用し得る。利き手は有利には利き手値Ｈにより考慮される。Ｈは装着者の利き手に全く依存しており、後で説明するように判断され得る。特に、Ｈは例４に示すように判断され得る。
【０１６９】
一実施形態に対し、
−  右眼に関して：（ＴＰ，ｎｖ−ＮＰ＿ｎｖ）／（ＴＰ，ｎｖ＋ＮＰ，ｎｖ）＝０．００２＊Ｈ、及び／又は
−  左眼に関して：（ＴＰ，ｎｖ−ＮＰ，ｎｖ）／（ＴＰ，ｎｖ＋ＮＰ，ｎｖ）＝０．００２＊Ｈ。
【０１７０】
別の実施形態では、
−  右眼に関して：（ＴＡ，ｎｖ−ＮＡ，ｎｖ）／（ＴＡ，ｎｖ＋ＮＡ，ｎｖ）＝０．００２＊Ｈ、及び／又は
−  左眼に関して：（ＴＡ，ｎｖ−ＮＡ，ｎｖ）／（ＴＡ，ｎｖ＋ＮＡ，ｎｖ）＝０．００２＊Ｈ。
【０１７１】
別の実施形態では、
−  右眼に関して：（ＴＰ，ｆｖ−ＮＰ，ｆｖ）／（ＴＰ，ｆｖ＋ＮＰ，ｆｖ）＝０．００２＊Ｈ、及び／又は
−  左眼に関して：（ＴＰ，ｆｖ−ＮＰ，ｆｖ）／（ＴＰ，ｆｖ＋ＮＰ，ｆｖ）＝０．００２＊Ｈ。
【０１７２】
別の実施形態では、
−  右眼に関して：（ＴＡ，ｆｖ−ＮＡ，ｆｖ）／（ＴＡ，ｆｖ＋ＮＡ，ｆｖ）＝０．００２＊Ｈ、及び／又は
−  左眼に関して：（ＴＡ，ｆｖ−ＮＡ，ｆｖ）／（ＴＡ，ｆｖ＋ＮＡ，ｆｖ）＝０．００２＊Ｈ。
【０１７３】
上記レンズは一対のレンズ（ＲＥ／ＬＥ）を形成するように対にされ得る。
【０１７４】
前述のように、例えば、特徴もまた組み合わせられ得る：
【０１７５】
一実施形態では、右眼に関して：
−  （ＴＰ，ｎｖ−ＮＰ＿ｎｖ）／（ＴＰ，ｎｖ＋ＮＰ，ｎｖ）＝０．００２＊Ｈ及び
−  （ＴＡ，ｎｖ−ＮＡ，ｎｖ）／（ＴＡ，ｎｖ＋ＮＡ，ｎｖ）＝０．００２＊Ｈ。
【０１７６】
別の実施形態では、左眼に関して：
−  （ＴＰ，ｎｖ−ＮＰ，ｎｖ）／（ＴＰ，ｎｖ＋ＮＰ，ｎｖ）＝−０．００２＊Ｈ及び
−  （ＴＡ，ｎｖ−ＮＡ，ｎｖ）／（ＴＡ，ｎｖ＋ＮＡ，ｎｖ）＝−０．００２＊Ｈ。
【０１７７】
上の全ての実施形態において、Ｈは後で述べるように特に例４のように判断され得、したがってＨは−１００〜＋１００の値を有し得る。
【０１７８】
さらに、１つの目標光学関数に関しては、近方視における半値幅に関する上記実施形態のいずれかと遠方視における半値幅に関する上記実施形態のいずれかとを組み合わせ得る。
【０１７９】
利き手に応じて鼻／側頭半値幅の非対称を有する対の目標光学関数
一態様によると、本発明は、近方視注視方向に対する近方視ゾーンの鼻／側頭半値幅が装着者の利き手に応じて非対称である装着者用の一対のレンズの目標光学関数を提供する。
【０１８０】
一実施形態では、左利き装着者に関して、屈折力の近方視側頭半値幅と近方視鼻半値幅の差と和との比は対のレンズの各々に対してほぼ０（（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＝（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＝０）に設定され、及び／又は発生非点収差のモジュールの近方視側頭半値幅と近方視鼻半値幅の差と和との比は対のレンズの各々に対してほぼ０（（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）＝（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＝０）に設定される。
【０１８１】
別の実施形態では、左利き装着者に対して、屈折力の近方視側頭半値幅と近方視鼻半値幅の差と和との比は右眼レンズに対して０より小さい又は０にほぼ等しい値（（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）≦０）に設定され、及び／又は発生非点収差のモジュールの近方視側頭半値幅と近方視鼻半値幅の差と和との比は右眼レンズに対して０より小さい又は０にほぼ等しい値（（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）≦０）に設定され、屈折力の近方視側頭半値幅と近方視鼻半値幅の差と和との比は左眼レンズに対して０より大きい値又は０にほぼ等しい値（（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）≧０）に設定され、発生非点収差のモジュールの近方視側頭半値幅と近方視鼻半値幅の差と和との比は左眼レンズに対して０より大きい値又は０にほぼ等しい値（（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）≧０）に設定される。
【０１８２】
別の実施形態では、左利き装着者に対して、［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）≧０及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）≧０］及び／又は［（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）≧０及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）≦０］。
【０１８３】
一実施形態では、左利き装着者に対して、［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＞０及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＜０］及び／又は［（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）＞０及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＜０］。
【０１８４】
一実施形態では、左利き装着者に対して［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＞０．１５、好適には＞０．２０、好適には＞０．２５、好適には＞０．３０、及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＜−０．１５、好適には＜−０．２０、好適には＜−０．２５、好適には＜−０．３０］及び／又は［（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）＞０．１５、好適には＞０．２０、好適には＞０．２５、好適には＞０．３０、及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＜−０．１５、好適には＜−０．２０、好適には＜−０．２５、好適には＜−０．３０］。
【０１８５】
別の実施形態では、右利き装着者に対して、屈折力の近方視側頭半値幅と近方視鼻半値幅の差と和との比は右眼レンズに対して０より大きい値又は０にほぼ等しい値（（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）≧０）に設定され、及び／又は発生非点収差のモジュールの近方視側頭半値幅と近方視鼻半値幅の差と和との比は右眼レンズに対して０より大きい値又は０にほぼ等しい値（（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）≧０）に設定され、及び屈折力の近方視側頭半値幅と近方視鼻半値幅の差と和との比は左眼レンズに対して０より小さい又は０にほぼ等しい値（（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）≦０）に設定され、及び／又は発生非点収差のモジュールの近方視側頭半値幅と近方視鼻半値幅の差と和との比は左眼レンズに対して０より小さい又は０にほぼ等しい値（（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）≦０）に設定される。
【０１８６】
別の実施形態では、右利き装着者に対して、近方視ゾーンにおける屈折力の近方視側頭半値幅と近方視鼻半値幅の差と和との比は右眼レンズに対して厳密に０より大きな値（（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＞０）に設定され、及び／又は発生非点収差のモジュールの近方視側頭半値幅と近方視鼻半値幅の差と和との比は右眼レンズに対して厳密に０より大きな値（（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＞０）に設定され、及び屈折力の近方視側頭半値幅と近方視鼻半値幅の差と和との比は左眼レンズに対して厳密に０より小さな値（（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＜０）に設定され、発生非点収差のモジュールの近方視側頭半値幅と近方視鼻半値幅の差と和との比は左眼レンズに対して厳密に０より小さな値（（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）＜０）に設定される。
【０１８７】
別の実施形態では、右利き装着者に対して、［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）≦０及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）≧０］及び／又は［（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）≦０及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）≧０］。
【０１８８】
別の実施形態では、右利き装着者に対して［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＜０及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＞０］及び／又は［（ＴＡ＿ＬＥ，ｎｖ−ＮＡ＿ＬＥ，ｎｖ）／（ＴＡ＿ＬＥ，ｎｖ＋ＮＡ＿ＬＥ，ｎｖ）＜０及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＞０］。
【０１８９】
別の実施形態では、右利き装着者に対して、［（ＴＰ＿ＬＥ，ｎｖ−ＮＰ＿ＬＥ，ｎｖ）／（ＴＰ＿ＬＥ，ｎｖ＋ＮＰ＿ＬＥ，ｎｖ）＜−０．１５、好適には＜−０．２０、好適には＜−０．２５、好適には＜−０．３０、及び（ＴＰ＿ＲＥ，ｎｖ−ＮＰ＿ＲＥ，ｎｖ）／（ＴＰ＿ＲＥ，ｎｖ＋ＮＰ＿ＲＥ，ｎｖ）＞０．１５、好適には＞０．２０、好適には＞０．２５、好適には＞０．３０］及び／又は［（（ＴＡ＿ＬＥ，ｎｖ−ＮＡ＿ＬＥ，ｎｖ））／（ＴＡ＿ＬＥ，ｎｖ＋ＮＡ＿ＬＥ，ｎｖ）＜−０．１５、好適には＜−０．２０、好適には＜−０．２５、好適には＜−０．３０、及び（ＴＡ＿ＲＥ，ｎｖ−ＮＡ＿ＲＥ，ｎｖ）／（ＴＡ＿ＲＥ，ｎｖ＋ＮＡ＿ＲＥ，ｎｖ）＞０．１５、好適には＞０．２０、好適には＞０．２５、好適には＞０．３０］。
【０１９０】
別の態様によると、本発明は、遠方視注視方向に対する遠方視ゾーンの鼻／側頭半値幅が装着者の利き手に応じて非対称である装着者用の一対のレンズの目標光学関数を提供する。有利には、視野は書字手の側でより開いている（半値幅がより大きい）。
【０１９１】
一実施形態では、右利き装着者に対して、［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）≦０及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）≧０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）≦０及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）≧０］。
【０１９２】
一実施形態では、右利き装着者に対して、［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）＜０及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）＞０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）＜０及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）＞０］。
【０１９３】
別の実施形態では、右利き装着者に対して、［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）＜−０．１５，好適には＜−０．２０、好適には＜−０．２５、好適には＜−０．３０、及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）＞０．１５、好適には＞０．２０、好適には＞０．２５、好適には＞０．３０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）＜−０．１５、好適には＜−０．２０、好適には＜−０．２５、好適には＜−０．３０、及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）＞０．１５、好適には＞０．２０、好適には＞０．２５、好適には＞０．３０］。
【０１９４】
一実施形態では、左利き装着者に対して［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）≧０及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）≧０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）≦０及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）≦０］。
【０１９５】
一実施形態では、左利き装着者に対して［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）＞０及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）＜０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）＞０及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）＜０］。
【０１９６】
別の実施形態では、左利き装着者に対して［（ＴＰ＿ＬＥ，ｆｖ−ＮＰ＿ＬＥ，ｆｖ）／（ＴＰ＿ＬＥ，ｆｖ＋ＮＰ＿ＬＥ，ｆｖ）＞０．１５、好適には＞０．２０、好適には＞０．２５、好適には＞０．３０、及び（ＴＰ＿ＲＥ，ｆｖ−ＮＰ＿ＲＥ，ｆｖ）／（ＴＰ＿ＲＥ，ｆｖ＋ＮＰ＿ＲＥ，ｆｖ）＜−０．１５、好適には＜−０．２０、好適には＜−０．２５、好適には＜−０．３０］及び／又は［（ＴＡ＿ＬＥ，ｆｖ−ＮＡ＿ＬＥ，ｆｖ）／（ＴＡ＿ＬＥ，ｆｖ＋ＮＡ＿ＬＥ，ｆｖ）＞０．１５、好適には＞０．２０、好適には＞０．２５、好適には＞０．３０、及び（ＴＡ＿ＲＥ，ｆｖ−ＮＡ＿ＲＥ，ｆｖ）／（ＴＡ＿ＲＥ，ｆｖ＋ＮＡ＿ＲＥ，ｆｖ）＜−０．１５、好適には＜−０．２０、好適には＜−０．２５、好適には＜−０．３０］。
【０１９７】
利き手に応じて鼻部分と側頭部分間で光学パラメータの非対称性を有する目標光学関数
一態様では、利き手は、目標光学関数の少なくとも１つの光学パラメータが装着者の利き手に応じてレンズの光学関数の鼻部と側頭部間で非対称にされるという点で考慮される。
【０１９８】
一実施形態では、目標光学関数は、レンズの鼻部分と側頭部分間で少なくとも１つの光学パラメータが装着者の利き手に応じて非対称であるという点で非対称である。前記パラメータは次のものから選択され得る：
近方視、遠方視、中間視用のゾーンを含むレンズの１つ又は複数の有効ゾーンにおける、
−  中心視における屈折力、中心視における非点収差、中心視における高次収差、中心視における明瞭度、中心視におけるプリズムによる光のフレ（ｐｒｉｓｍａｔｉｃ  ｄｅｖｉａｔｉｏｎ）、視覚偏差、中心視における物体視野、中心視における像視野、中心視における倍率、又はこれらの変形を含む群から選択される中心視光学基準（ＣＶＯＣ）の任意の１つ；
−  周辺視における屈折力、周辺視における非点収差、周辺視における高次収差、瞳孔視野光線偏差、周辺視における物体視野、周辺視における像視野、周辺視におけるプリズムによる光のフレ、周辺視における倍率、又はこれらの変形を含む群から選択される周辺視光学基準（ＰＶＯＣ）の任意の１つ：
−  眼の倍率、側頭変位、又はこれらの変形を含む群から選択されるグローバル光学基準（ＧＯＣ）のうちの任意の１つ；
−  前又は後平均曲率、前又は後最小曲率、前又は後最大曲率、前又は後円柱軸、前又は後円柱、前又は後平均球、前又は後最大球、前又は後最小球、又はこれらの変形を含む群から選択される面基準（ＳＣ）のうちの任意の１つ、及び／又は
−  上記基準のうちの任意の１つの最大値（それぞれ最小値、山から谷値、最大勾配値、最小勾配値、最大勾配値、最小勾配値、平均値）。
【０１９９】
例えば、光学パラメータは、近方視、遠方視及び中間視用レンズの１つ又は複数の有効ゾーンにおける発生非点収差、屈折力勾配、前面の平均球勾配、前面の円柱のうちの任意の最大値（又は、最小値、山から谷値、最大勾配値、最小勾配値、最大勾配値、最小勾配値、平均値）であり得る。
【０２００】
好ましい実施形態では、レンズの鼻部分と側頭部分間で非対称な光学パラメータは、前面の最大発生非点収差、最大屈折力勾配、平均球勾配、前面の円柱から選択される。有利には、光学パラメータが最大発生非点収差である場合、低減されたぼやけ及び低減された像変形が装着者により主として使用されるレンズ側で経験される。さらに、光学パラメータが最大屈折力勾配である場合、標的への注視位置合わせは装着者により主として使用されるレンズ側でより簡単になる。したがって、本発明は、装着者の利き手に応じて利き手の経験を改善し視覚的快適性を改善する。
【０２０１】
一態様では、目標光学関数は、装着者の利き手に応じてレンズの鼻部分と側頭部分間で、上記定義された鼻／側頭半値幅と上記定義された少なくとも１つの光学パラメータとの両方が非対称であるという点で非対称である。
【０２０２】
一態様では、目標光学関数は、レンズの鼻部分と側頭部分間で少なくとも１つの光学パラメータが装着者の利き手に応じて非対称であるという点で非対称であり、上記光学パラメータは、レンズの側頭側（ＭａｘＡｓｒＴ）と鼻側（ＭａｘＡｓｒＮ）でそれぞれ定義された最大発生非点収差（ＭａｘＡｓｒ）である。このような場合、最大発生非点収差（ピーク値）のカスタム化は装着者の利き手に応じてレンズの設計を緩和することができるので有利である。例えば、右利き装着者に関して、設計は右側で、すなわち右眼ＲＥレンズの側頭側Ｔで緩和され得る、及び／又は左眼ＬＥレンズの鼻側Ｎで緩和され得、一方、左利き装着者に関して、設計は左側で緩和され得る。
【０２０３】
一実施形態では、右利き装着者用レンズの目標光学関数はＭａｘＡｓｒＴ−ＭａｘＡｓｒＮ＞０となるようにされる。レンズは好適には装着者の左眼用である。
【０２０４】
別の実施形態では、右利き装着者用レンズの目標光学関数はＭａｘＡｓｒＴ−ＭａｘＡｓｒＮ＜０となるようにされる。レンズは好適には装着者の右眼用である。
【０２０５】
別の実施形態では、左利き装着者用レンズの目標光学関数はＭａｘＡｓｒＴ−ＭａｘＡｓｒＮ＜０となるようにされる。レンズは好適には装着者の左眼用である。
【０２０６】
別の実施形態では、左利き装着者用レンズの目標光学関数はＭａｘＡｓｒＴ−ＭａｘＡｓｒＮ＞０となるようにされる。レンズは好適には装着者の右眼用である。
【０２０７】
上記目標光学関数は対にされ得る（ＲＥ／ＬＥ）。
【０２０８】
一態様では、目標光学関数は、最大発生非点収差（ＭａｘＡｓｒ）が装着者の利き手に応じてレンズの鼻部Ｎと側頭部Ｔ間で非対称であるという点で非対称である。ここで、（ＭａｘＡｓｒＴ）−（ＭａｘＡｓｒＮ）は処方加入度の値に依存する。
【０２０９】
一実施形態では、処方加入度Ａを有する右利き装着者用レンズの目標光学関数はＭａｘＡｓｒＴ−ＭａｘＡｓｒＮ＞Ｍａｘ（０．２５＊Ａ−０．２５；０．２５）となるようにされる。レンズは好適には装着者の左眼用である。
【０２１０】
別の実施形態では、処方加入度Ａを有する右利き装着者用レンズの目標光学関数はＭａｘＡｓｒＴ−ＭａｘＡｓｒＮ＜−Ｍａｘ（０．２５＊Ａ−０．２５；０．２５）となるようにされる。レンズは好適には装着者の右眼用である。
【０２１１】
別の実施形態では、処方加入度Ａを有する左利き装着者用レンズの目標光学関数はＭａｘＡｓｒＴ−ＭａｘＡｓｒＮ＜−Ｍａｘ（０．２５＊Ａ−０．２５；０．２５）となるようにされる。レンズは好適には装着者の左眼用である。
【０２１２】
別の実施形態では、処方加入度Ａを有する左利き装着者用レンズの目標光学関数はＭａｘＡｓｒＴ−ＭａｘＡｓｒＮ＞Ｍａｘ（０．２５＊Ａ−０．２５；０．２５）となるようにされる。レンズは好適には装着者の右眼用である。
【０２１３】
上記レンズは一対のレンズ（ＲＥ／ＬＥ）を形成するように対にされ得る。
【０２１４】
別の態様では、鼻側と側頭側間の非対称は、一対のものに関して以下のように定義され得る。処方加入度Ａを有する右利き装着者に関して、ＭａｘＡｓｒＴ＿ＬＥ−ＭａｘＡｓｒＮ＿ＬＥ＞Ｍａｘ（０．２５＊Ａ−０．２５；０．２５）及びＭａｘＡｓｒＴ＿ＲＥ−ＭａｘＡｓｒＮ＿ＲＥ＜−Ｍａｘ（０．２５＊Ａ−０．２５；０．２５）、一方、処方加入度Ａを有する左利き装着者に関して、ＭａｘＡｓｒＴ＿ＬＥ−ＭａｘＡｓｒＮ＿ＬＥ＜−Ｍａｘ（０．２５＊Ａ−０．２５；０．２５）及びＭａｘＡｓｒＴ＿ＲＥ−ＭａｘＡｓｒＮ＿ＲＥ＞Ｍａｘ（０．２５＊Ａ−０．２５；０．２５）。
【０２１５】
上記実施形態では＋／−Ｍａｘ（０．２５＊Ａ−０．２５；０．２５）はジオプター（Ｄ）で表され、Ｍａｘは（０．２５＊Ａ−０．２５）と０．２５の最大値関数を示す。
【０２１６】
一態様では、目標光学関数は、レンズの鼻（Ｎ）部と側頭（Ｔ）との間で少なくとも１つの光学パラメータ（π）が装着者の利き手に応じて非対称であるという点で非対称である。一態様では、
Δ１＝ＡＢＳ［（πＴ−πＮ）／ａｖｇ（πＴ；πＮ）］＞０．１５
ここで、
−  ＡＢＳは絶対値であり、
−  ａｖｇは平均値を表す。
【０２１７】
好適には、目標光学関数はΔ１＞０．２０；Δ１＞０．２５；又はΔ１＞０．３０となるようにされる。
【０２１８】
いくつかの実施形態では、πは発生非点収差ＭａｘＡｓｒの最大値又は屈折力勾配の最大値である。
【０２１９】
利き手に応じて左及び右目標光学関数間の非対称性を有する一対のレンズを決定する方法
本発明はまた、装着者により装着されるように意図された一対の眼用レンズを決定する方法に関する。本方法では、各レンズの目標光学関数は、それぞれの目標光学関数の鼻（Ｎ）部と側頭（Ｔ）部との間で少なくとも１つの同じ光学パラメータ（π）が装着者の利き手に応じて非対称であるという点で非対称であり、非対称性は両眼間で反対符号である。したがって、本発明は、右眼（ＲＥ）と左眼（ＬＥ）を有する装着者により装着されるように意図された眼用レンズの一対の目標光学関数を提供する、ここで、
−  ＡＢＳ［（πＴ＿ＲＥ−πＮ＿ＲＥ）／ａｖｇ（πＴ＿ＲＥ；πＮ＿ＲＥ）］＞０．１５（好適には０．２０、０．３０）；及び
−  ＡＢＳ［（πＴ＿ＬＥ−πＮ＿ＬＥ）／ａｖｇ（πＴ＿ＬＥ；πＮ＿ＬＥ）］＞０．１５（好適には０．２０、０．３０）；及び
−  任意選択的に（πＴ＿ＲＥ−πＮ＿ＲＥ）／ａｖｇ（πＴ＿ＲＥ；πＮ＿ＲＥ）と（πＴ＿ＬＥ−πＮ＿ＬＥ）／ａｖｇ（πＴ＿ＬＥ；πＮ＿ＬＥ）は反対符号である。
【０２２０】
このような状況では、右眼の非対称性は左眼の非対称性と同一でなく、したがって、一対のレンズ全体ではさらなる非対称性を与える。
【０２２１】
別の態様では、本発明は、右眼（ＲＥ）と左眼（ＬＥ）を有する装着者により装着されるように意図された一対の眼用レンズであってその目標光学関数が装着者の利き手に応じてＬＥとＲＥ間で非対称である一対の眼用レンズを決定する方法を提供する。例えば、目標光学関数は、右眼用レンズの目標光学関数に関して定義された少なくとも１つの光学パラメータ（πＲＥ）と左眼用のレンズの目標光学関数に関して定義された少なくとも１つの光学パラメータ（πＬＥ）に関して、量πＲＥ−πＬＥが装着者の利き手に応じているという点で非対称である。有利には、これにより、左利き装着者と右利き装着者に対して異なる（処方データ、生物測定学データ、フレームデータを含む他のすべては同じである）レンズ対設計をもたらすだろう一対のレンズの設計を可能にする。設計の差の程度は利き手の程度に従って変化し得る。一実施形態によれば、
−（πＲＥ−πＬＥ）／ａｖｇ（πＲＥ；πＬＥ）＝ａＨ＋ｂ；及び
−  任意選択的に、ＡＢＳ［（πＲＥ−πＬＥ）／ａｖｇ（πＲＥ；πＬＥ）］＞０．１５；
ここで、
−  ＡＢＳは絶対値であり、
−  ａｖｇは平均値を表し、
−  ａとｂは定数であり、
−  Ｈは利き手パラメータである。
（ａ，ｂ）は決して利き手に依存しないという点で定数である。（ａ，ｂ）は装着者処方データ又は生物測定学データなどの利き手データ以外の装着者データに依存し得る。Ｈは装着者の利き手に全面的に依存する利き手パラメータである。Ｈは後で及び例で述べるように利き手値であり得る。
【０２２２】
Ｈは本開示のように任意の利き手判断方法に従って判断され得る。当業者は、本開示及び共通一般知識に基づき適切な（ａ，ｂ）値を決定し得る。好適には、（ａ，ｂ）はΔ２＝ＡＢＳ［（πＲＥ−πＬＥ）／ａｖｇ（πＲＥ；πＬＥ）］＞０．１５となるように選択される。好適には、（ａ，ｂ）はΔ２＞０．２０；Δ２＞０．２５；Δ２＞０．３０となるように選択される。
【０２２３】
利き手に応じて非対称なインセットを有する対のレンズの目標光学関数
本発明は、それぞれのインセットが装着者の利き手に応じて異なる右眼と左眼を有する装着者により装着されるように意図された一対の眼鏡累進式眼用レンズの目標光学関数を提供する。すなわち、右眼用レンズのインセットは装着者の利き手に応じて左眼用レンズのインセットとは異なる。
【０２２４】
一態様では、右眼と左眼の同一の処方データを有する装着者に対して、
−  右利き装着者に対して：Ｉｎｓｅｔ＿ＬＥ＞Ｉｎｓｅｔ＿ＲＥ
−  左利き装着者に対して：Ｉｎｓｅｔ＿ＲＥ＞Ｉｎｓｅｔ＿ＬＥ
である。
【０２２５】
別の態様では、各レンズのインセット（ｉｎｓｅｔ＿ＲＥ＿ｉｎｉｔｉａｌとｉｎｓｅｔ＿ＬＥ＿ｉｎｉｔｉａｌ）は装着者利き手を考慮することなく最初に判断され得る。当業者は、例えば正中面内の近方視における物体に関する光線追跡法などの光線追跡法によりインセット値を決定する方法を知っている。ｉｎｓｅｔ＿ＲＥ＿ｉｎｉｔｉａｌとｉｎｓｅｔ＿ＬＥ＿ｉｎｉｔｉａｌの値は処方データと適用可能な場合には国際公開第２０１００３４７２７号パンフレットによるものなどの他のパラメータとに応じて判断され得る。
【０２２６】
このとき、利き手を考慮するインセット値は以下のように判断され得る。
右利き装着者に対して：
−  Ｉｎｓｅｔ＿ＲＥ＝ｉｎｓｅｔ＿ＲＥ＿ｉｎｉｔｉａｌ−Ｄｅｌｔａ＿ｉｎｓｅｔ、
−  Ｉｎｓｅｔ＿ＬＥ＝ｉｎｓｅｔ＿ＬＥ＿ｉｎｉｔｉａｌ＋Ｄｅｌｔａ＿ｉｎｓｅｔ
一方、左利き装着者に対して：
−  Ｉｎｓｅｔ＿ＲＥ＝ｉｎｓｅｔ＿ＲＥ＿ｉｎｉｔｉａｌ＋Ｄｅｌｔａ＿ｉｎｓｅｔ
−  Ｉｎｓｅｔ＿ＬＥ＝ｉｎｓｅｔ＿ＬＥ＿ｉｎｉｔｉａｌ−Ｄｅｌｔａ＿ｉｎｓｅｔ、ここで、Ｄｅｌｔａ＿ｉｎｓｅｔ＞０。
【０２２７】
Ｄｅｌｔａ＿ｉｎｓｅｔは以下のように判断され得る：
Ｄｅｌｔａ＿ｉｎｓｅｔ＝［ＣＲＥ＿Ｌ／ＲＤ］＊ＤＰＳ
ここで、
−  ＤＰＳ＝サジタル面と近方視における注視点間の距離、個人の右側に向かって正である。
−  ＣＲＥ＿Ｌ＝眼の回転中心とレンズ間の距離、ＣＲＥ＿Ｌは左眼（ＣＲＥ＿Ｌ＿ＬＥ）と右眼（ＣＲＥ＿Ｌ＿ＲＥ）に対して定義される。
−  ＲＤ＝眼の回転中心からの読み取り距離。
【０２２８】
Ｄｅｌｔａ＿ｉｎｓｅｔもまた以下のように判断され得る：
Ｄｅｌｔａ＿ｉｎｓｅｔ、ＤＰＳ／［１＋Ｗ／ＣＲＥ＿Ｌ−Ｗ＊Ｐ］
ここで、
−  ＤＰＳ＝サジタル面と近方視における注視点間の距離であり、個人の右側に向かって正である。
−  ＣＲＥ＿Ｌ＝眼の回転中心とレンズ間の距離（メートル）。
−  Ｗ＝レンズからの読み取り距離（メートル）。
Ｐ＝近方視におけるレンズの屈折力（ジオプター）。
【０２２９】
例えば、装着者が両眼に対して同一の処方箋を有する場合、Ｄｅｌｔａ＿ｉｎｓｅｔ＝約１ｍｍを選択し得る。
【０２３０】
利き手を考慮するインセット値もまた以下のように判断され得る：インセット値は、以下のような片眼瞳孔間距離（ｍｏｎｏｃｕｌａｒ  ｐｕｐｉｌｌａｒｙ−ｄｉｓｔａｎｃｅ）の修正値ＰＤ＿ＲＥ’とＰＤ＿ＬＥ’を使用することにより計算により、光線追跡により、又は任意の他の方法により判断することができる、
−  ＰＤ＿ＲＥ’＝ＰＤ＿ＲＥ−ＤＰＳ
−  ＰＤ＿ＬＥ’＝ＰＤ＿ＬＥ＋ＤＰＳ
ここで、
−  ＤＰＳ＝サジタル面と近方視における注視点間の距離であり、装着者の右側に向かって正である。
−  ＰＤ＿ＲＥ＝装着者の右眼の片眼瞳孔間距離。
−  ＰＤ＿ＬＥ＝装着者の左眼の片眼瞳孔間距離。
【０２３１】
例えば、インセットは次式に従って計算され得る：
Ｉｎｓｅｔ＿ＲＥ、ＰＤ＿ＲＥ’／［１＋Ｗ／ＣＲＥ＿Ｌ＿ＲＥ−Ｗ＊Ｐ＿ＲＥ］
Ｉｎｓｅｔ＿ＬＥ、ＰＤ＿ＬＥ’／［１＋Ｗ／ＣＲＥ＿Ｌ  ＬＥ−Ｗ＊Ｐ＿ＬＥ］
ここで、
−  ＣＲＥ＿Ｌ＿ＲＥ＝右眼の回転中心とレンズ間の距離（メートル）。
−  ＣＲＥ＿Ｌ＿ＬＥ＝左眼の回転中心とレンズ間の距離（メートル）。
−  Ｗ＝レンズからの読み取り距離（メートル）。
−  Ｐ＿ＲＥ＝近方視における右レンズの屈折力（ジオプター）。
−  Ｐ＿ＬＥ＝近方視における左レンズの屈折力（ジオプター）。
【０２３２】
Ｄｅｌｔａ＿ｉｎｓｅｔの上記定義はすべて図２１に示され、ここで、Ｏは近方視において注視される物点である。
【０２３３】
中間光学関数の（利き手に応じた）歪み又は非対称性により得られる目標光学関数
一態様では、本発明の方法は上に定義されたような工程（ＳＨ）と工程（ＳＬ）を含む。（ＳＬ）は光学的最適化（ＯＰＴＩＭ）による決定工程であり、目標光学関数を定義する工程（Ｓｂ）は、
−  中間光学関数を定義する工程（Ｓｂ１）と、
−  装着者の利き手に応じて中間光学関数を変換することにより目標光学関数を定義する工程（Ｓｂ２）とを含む。
【０２３４】
一実施形態では、工程（Ｓｂ１）は中間光学関数を定義する工程であり、したがって装着者の処方データに応じて近方視ゾーン、中間視ゾーン、遠方視ゾーン、及び経線の中間位置、値、及び形状の定義を含む。その場合には、工程（Ｓｂ２）は：
−装着者の利き手に応じて中間光学関数の
○  近方視ゾーン、
○  中間視ゾーン、
○  遠方視ゾーン、
○  上記ゾーンのうちの任意の有用領域、
○  経線又はその一部
のうちの１つ又は複数をシフトする及び／又は回転する及び／又は拡大する及び／又は剪断する工程；
及び／又は
−装着者の利き手に応じて中間目標光学関数の
○  近方視注視方向に対する近方視ゾーン、
○  経線に関する中間視ゾーン、
○  遠方視注視方向に対する遠方視ゾーン
のうちの１つ又は複数の鼻／側頭視界半値幅を非対称性にする工程
を含む。
【０２３５】
上記工程（Ｓｂ２）では、適用可能な場合には、
−  シフトは有用ゾーンのシフトとして定義され得、例えば、有効近方視ゾーンに関して、シフトは国際公開第２００６／０２７４４８号パンフレットに記載のように行われ得る。
−  剪断は、レンズ上の高さに応じて設計変換として定義され得、剪断は欧州特許出願公開第Ａ−１９５０６０１号明細書に記載のように行われ得る、特に図１ｃと段落［００６９］を参照；
−  最適化は目標光学関数が可変インセットを有するようにされ得る。特に、利き手に応じてインセット定義に関連する上記実施形態が考えられる；
−  鼻／側頭視界半値幅の対称性は、鼻／側頭非対称性に関して上記全ての例において定義されたようなものであり得る。
【０２３６】
装着者の利き手に応じて、鼻部と側頭部間の少なくとも１つの光学パラメータの非対称性を有する目標光学関数
一態様では、本発明の方法は上に定義されたような工程（ＳＨ）と工程（ＳＬ）を含む。（ＳＬ）は光学的最適化（ＯＰＴＩＭ）による決定工程であり、目標光学関数を定義する工程（Ｓｂ）は、装着者の利き手に応じて中間光学関数の鼻部と側頭部間で少なくとも１つの光学パラメータを非対称にする工程を含む。
【０２３７】
一実施形態では、前記光学パラメータは以下の中から選択される、
−  中心視における屈折力、中心視における非点収差、中心視における高次収差、中心視における明瞭度、中心視におけるプリズムによる光のフレ（ｐｒｉｓｍａｔｉｃ  ｄｅｖｉａｔｉｏｎ）、視覚偏差、中心視における物体視野、中心視における像視野、中心視における倍率を含む群から選択される中心視光学基準（ＣＶＯＣ）のうちの任意の１つ；
−  周辺視における屈折力、周辺視における非点収差、周辺視における高次収差、瞳孔視野光線偏差、周辺視における物体視野、周辺視における像視野、周辺視におけるプリズムによる光のフレ、周辺視における倍率を含む群から選択される周辺視光学基準（ＰＶＯ）のうちの任意の１つ；
−  眼の倍率、側頭変位を含む群から選択されるグローバル光学基準（ＧＯＣ）のうちの任意の１つ；
−  前又は後平均曲率、前又は後最小曲率、前又は後最大曲率、前又は後円柱軸、前又は後円柱、前又は後平均球、前又は後最大球、前又は後最小球を含む群から選択される面基準（ＳＣ：ｓｕｒｆａｃｅ  ｃｒｉｔｅｒｉａ）のうちの任意の１つ、
及び／又は近方視、遠方視、中間視用レンズの１つ又は複数の有効ゾーンにおける、上記基準のうちの任意の１つの最大値（又は、最小値、山から谷値、最大勾配値、最小勾配値、最大勾配値、最小勾配値、平均値）。
【０２３８】
眼用レンズの設計パラメータとして利き手の利用
本発明は、一対の眼用レンズを決定するための装着者の利き手パラメータを使用できるようにする。
【０２３９】
本発明はまた、装着者の利き手に応じて眼用レンズを決定する方法において利き手固有エルゴラマを使用できるようにする。
【０２４０】
前記レンズは好適には眼鏡累進眼用レンズである。利き手パラメータは、以下に述べるように、及び実施例の中で得られる。
【０２４１】
利き手判断
本発明によると、レンズ装着者の利き手は以下の様々な方法で判断され得る：
−  書く作業／活動に対して左利きか右利きかどうか尋ねられた時の装着者の回答として；
−  かぎ型の（ｈｏｏｋｅｄ）書き方又は通常の書き方などの姿勢を用いるかどうか尋ねられたときの装着者の回答と組み合わせて、書く作業／活動に対して左利きか右利きかどうか尋ねられたときの装着者の回答として。「かぎ型の」書き方は、書字手の手首が前腕と手との間である角度（通常ほほ直角）に曲がるようにする腕姿勢を指す。これは、手と前腕が一直線に並ぶように書字手の手首が通常曲がっていない「通常の」手書きと反対である。このとき、回答は、かぎ型左（又は右）手又は通常の左（又は右）手であり得る。
−  書字手と上記かぎ型の／通常の姿勢特徴の観察を含む装着者の観察（人の外部評価）からの結論として、
−  Ｏｌｄｆｉｅｌｄ，Ｒ．Ｃ．“Ｔｈｅ  ａｓｓｅｓｓｍｅｎｔ  ａｎｄ  ａｎａｌｙｓｉｓ  ｏｆ  ｈａｎｄｅｄｎｅｓｓ：ｔｈｅ  Ｅｄｉｎｂｕｒｇｈ  ｉｎｖｅｎｔｏｒｙ．”Ｎｅｕｒｏｐｓｙｃｈｏｌｏｇｉａ．９（１）：９７−１１３．１９７１によるエジンバラインベントリ（Ｅｄｉｎｂｕｒｇｈ  ｉｎｖｅｎｔｏｒｙ）を用いて判断されるような側性係数として、
−  エジンバラインベントリの類推により判断され同じ計算原理に従うが、インベントリとは別のインベントリによる１つ又は複数の利き手質問（例えば１〜５又は１〜１０の質問）に対する装着者の回答に基づく側性係数として；これはエディンバラ的修正利き手インベントリとなるだろう。特に、以下のような様々な修正インベントリを定義することが可能である：一般的インベントリ、遠方視作業インベントリ、中間視作業インベントリ、近方視作業インベントリ（例を参照）；
−  物理的試験及び／又は頭／視標追跡及び／又は文書追跡及び／又は手追跡などの測定。利き手パラメータ／値はまた、頭／目挙動得点に応じて計算され得る。頭／目挙動得点はＶｉｓｉｏｆｆｉｃｅ又はＶｉｓｉｏｎ  Ｐｒｉｎｔ  Ｓｙｓｔｅｍの名称で知られた装置を用いて測定され得る、又は頭／目挙動得点は、ＳＭＩ視標追跡眼鏡（ＳｅｎｓｏＭｏｔｏｒｉｃ  Ｉｎｓｔｒｕｍｅｎｔ）、ＡＳＬ視標追跡眼鏡（Ａｐｐｌｉｅｄ  Ｓｃｉｅｎｃｅ  Ｌａｂｏｒａｔｏｒｉｅｓ）など視標追跡により判断することができる。
【０２４２】
装着者の利き手を判断するために用いられる方法の性質と無関係に、利き手値Ｈを定義することが可能である。値は様々な方法に従って判断され得る。
【０２４３】
一実施形態では、装着者は、例えば、手書きを行うためにどちらの手を使用するかといった単一質問を尋ねられる。返答が「右」である場合、利き手は「右利き」と判断され、＋１００の利き手値Ｈを割り振ることができる。返答が「左」である場合、利き手は「左利き」と判断され、−１００の利き手値Ｈを割り振ることができる。
【０２４４】
別の実施形態では、利き手値Ｈはエジンバラインベントリに従って判断され得る。プロトコルはＯｌｄｆｉｅｌｄ、Ｒ．Ｃ．“Ｔｈｅ  ａｓｓｅｓｓｍｅｎｔ  ａｎｄ  ａｎａｌｙｓｉｓ  ｏｆ  ｈａｎｄｅｄｎｅｓｓ：ｔｈｅ  Ｅｄｉｎｂｕｒｇｈ  ｉｎｖｅｎｔｏｒｙ．”Ｎｅｕｒｏｐｓｙｃｈｏｌｏｇｉａ．９（１）：９７−１１３（１９７１）により説明された通りである。この方法によると、対象者は一連の利き手関連質問を尋ねられ、定量的に答えることになっている。結果は、−１００（極めて左利き）〜＋１００（極めて右利き）の範囲の側性係数ＬＱである。したがって、利き手値Ｈは、この方法に従って得られるＬＱ値として定義されることができる。
【０２４５】
別の実施形態では、利き手値Ｈは修正エジンバラインベントリに従って判断され得る。Ｏｌｄｆｉｅｌｄ，Ｒ．Ｃ．“Ｔｈｅ  ａｓｓｅｓｓｍｅｎｔ  ａｎｄ  ａｎａｌｙｓｉｓ  ｏｆ  ｈａｎｄｅｄｎｅｓｓ：ｔｈｅ  Ｅｄｉｎｂｕｒｇｈ  ｉｎｖｅｎｔｏｒｙ．”Ｎｅｕｒｏｐｓｙｃｈｏｌｏｇｉａ．９（１）：９７−１１３（１９７１）のように商計算の同じ原理に従うことが可能であるが、質問の性質に関しては修正を伴う。特に、遠方視（又は中間視、又は近方視）を用いて作業に関係する質問を列挙することにより遠方視（又は中間視、又は近方視）のＨ＝ＬＱ値を定義することが可能である。例えば、近方視ＬＱを定義するために用いられ得る近方視作業は、以下の１つ又は複数を含み得る：１枚の紙に書く、卓上電話の番号をダイヤルする、ポータブル／セルフォンの番号をダイヤルする、タッチスクリーン（電子タブレット、スマートフォン）上でナビゲートする、ポット又は鍋の内容物を撹拌する、髭を剃る、メークアップする。遠方視作業の例：空の一面又は任意の他の遠い点に向かって指す；弓を射る。中間視作業の例：皿洗い機又はオーブンを起動する；高い棚に置かれた物を取ろうと手を伸ばす。対象者は以下の質問表を与えられる：
【０２４６】
【表１】
0006275709.tif 000013
【０２４７】
対象者は、適切な欄に「＋」を記入することにより各作業における手の使用でのその人の好みを示すように要求される。好みが非常に強いので特に強制されない限り他の手を使用しようとしない場合、対象者は「＋＋」を記入する。どちらでも対象者にとって問題とならない場合は、両方の欄に「＋」を記入する。ＬＱは、［（「右」欄内の「＋」の数）−（「左」欄内の「＋」の数）／「＋」の数］＊１００として定義される。
【０２４８】
コンピュータプログラム製品
本発明は、プロセッサにアクセス可能であってプロセッサにより実行されるとプロセッサに上記方法の任意の１つの工程を実行させる１つ又は複数の格納された一連の命令を含む（非一時的）コンピュータプログラム製品を提供する。
【０２４９】
本発明はまた、本発明のコンピュータプログラム製品の１つ又は複数の一連の命令を実行する（非一時的）コンピュータ読み取り可能媒体を提供する。
【０２５０】
眼用レンズを提供又は製造する方法
本発明は、装着者により装着されるように意図された眼用レンズを提供するコンピュータ実施方法を提供する、本方法は、
−  装着者データをコンピュータシステムに入力する工程と、
−  装着者利き手データをコンピュータシステムに入力する工程とを含み、コンピュータシステムは、装着者データと利き手データとに基づき眼用レンズを特徴付ける少なくとも一組のデータを出力する処理手段を備える。
【０２５１】
処理手段は、装着者の利き手に応じて眼用レンズを決定する本発明の上記方法を実行するのに好適であるので有利であろう。
【０２５２】
さらに、コンピュータ実施方法では、コンピュータシステムは上述のようなコンピュータプログラム製品及び／又はコンピュータ読み取り可能媒体を含み得る。
【０２５３】
本発明はさらに、装着者により装着されるように意図された眼用レンズを製造する方法であって、本発明のコンピュータ実施方法を含む製造方法を提供する。
【実施例】
【０２５４】
本発明は以下の非限定的な例により示される。
【０２５５】
例１：装着者利き手に応じて近方視における非対称側頭／鼻半値幅（屈折力と非点収差）を有する累進レンズ設計
例１におけるすべてのパラメータは近方視に関係するが簡略化目的などのために注釈されない。
【０２５６】
例１Ａ：近方視挙動は利き手依存である
プロトコル：次に、一枚の紙に書く特定の近方視作業が一群の被試験人について考慮される。この目的を達成するために、図８に示すように、対象者が書いている場合の文書４２の書くゾーン４０が考慮され、文書４２の領域として定義される。グループの各人は書くゾーン４０上で書く状態に置かれる。この時、左及び右レンズの面内の書くゾーン４０の投影４４Ｌ、４４Ｒが計算され、記録され、解析される。これらの投影４４Ｌ、４４Ｒはまた、本明細書の残りの部分では有効近方視ゾーン又は単に有効ゾーンと呼ばれる。
【０２５７】
結論：図９に、この経験を継続した右利きの人について記録された有効ゾーン４４Ｌ、４４Ｒの重ね合せを示し、図１０に、この経験を継続した左利きの人について記録された有効ゾーン４４Ｌ、４４Ｒの重ね合せを示す。
【０２５８】
これらの図９〜１０から、有効ゾーン４４Ｌ、４４Ｒは右利きと左利きの人とで著しく異なるということがわかる。
【０２５９】
その上、左利きの人の間では有効ゾーンの高い可変性があり、大きくかつ水平軸（α＝０°）に平行な軸に沿ってほぼ一直線になった平均有効ゾーンを生じる。逆に、右利きの人の間では、有効ゾーンの可変性は低減され、より小さくかつ水平軸に対してほぼ傾いた平均有効ゾーンを生じる。表１に、特定された有効ゾーンを要約する。
【０２６０】
したがって、水平軸に対するそれらの配向に基づき有効ゾーン４４Ｌ、４４Ｒを利用することができる。
【０２６１】
【表２】
0006275709.tif 000014
【０２６２】
表１に収集し表したデータに基づき、平均では、右利きの人は書くなどの近方視作業を行う際約２０°の角度だけ文書４２を傾斜させ、一方、左利きの人に関しては、傾斜は０°とそれほど大きく異ならないので平均傾斜角は０°であると考えられる。
【０２６３】
結果：書く作業における文書４２の配向のこのような高い可変性は、右利きと左利きの人との間に存在する特殊行動を実証するので右利きと左利き装着者に対して近方視における異なる設計を提供する必要性を暗示する。特に、レンズの近方視ゾーンは、有効ゾーンのそれぞれのレンズ上の平均投影が近方視作業中に掃引される最適な方法で一致するようにされなければならない。
【０２６４】
例１Ｂ：利き手に応じて近方視におけるレンズ鼻／側頭半値幅（屈折力、非点収差）を非対称性にする；有効視力ゾーンの判断
本例は、一対の累進式眼用レンズの２つの異なる設計：左利きの人に対して１つの特定の設計と右利きの人に対して１つの特定の設計を提供する。この例は、鼻及び側頭近方視半値幅の非対称特徴を有する近方視ゾーンにおけるレンズ設計に関する。
【０２６５】
以下で考慮される基準は、左眼レンズと右眼レンズの屈折力の側頭半値幅と鼻半値幅の差と和との比ＲＰＬ、ＲＰＲと、左眼レンズと右眼レンズの発生非点収差のモジュールの側頭半値幅と鼻半値幅の差と和との比ＲＡＬ，ＲＡＲである：
【数１２】
0006275709.tif 000015
【０２６６】
対の各レンズに関しては、少なくとも１つの判定基準（すなわち。屈折力ＲＰの比又は発生非点収差ＲＡのモジュールの比のいずれか又はその両方）が装着者の左右差に基づき判断される。
【０２６７】
表１に要約され図９と図１０を参照して説明した結果によると、選択する判定基準は、左利きと右利きの人に対して異なる方法で判断される。
【０２６８】
左利きの人に関しては、左眼と右眼レンズの面上の書くゾーン４０の投影の水平軸に対する傾斜は０°にほぼ等しいので、左眼及び右眼レンズの両方の設計は対応する近方視注視方向（αＰＶＬ，βＰＶＬ），（αＰＶＲ，βＰＶＲ）に対して対称的である。
【０２６９】
この条件は次の事実により表される。左利きの人に対して、屈折力の側頭半値幅と鼻半値幅の差と和との比は一対の各レンズに対してほぼ０に設定される。及び／又は発生非点収差のモジュールの側頭半値幅と鼻半値幅の差と和との比は一対の各レンズに対してほぼ０に設定される：
ＲＰＬ＝ＲＰＲ＝０、及び／又はＲＡＬ＝ＲＡＲ＝０
【０２７０】
これらの式は以下の事実に至る、左利きの人に関しては、屈折力の左及び右側頭半値幅がそれぞれ屈折力の左及び右鼻半値幅にほぼ等しい、及び／又は発生非点収差のモジュールの左及び右側頭半値幅はそれぞれ発生非点収差のモジュールの左及び右鼻半値幅にほぼ等しい：
ＴＰ＿ＬＥ＝ＮＰ＿ＬＥ及びＴＰ＿ＲＥ＝ＮＰ＿ＲＥ
及び／又は
ＴＡ＿ＬＥ＝ＮＡ＿ＬＥ及びＴＡ＿ＲＥ＝ＮＡ＿ＲＥ
【０２７１】
表２は、屈折力が「ＰＦＶ＋処方加入度の１００％」に達する場合の近方視注視方向と屈折力が「ＰＦＶ＋処方加入度の８５％」に達する場合の近方視注視方向に対する、左利きの人の発生非点収差ＲＡＬ，ＲＡＲの基準の値を要約する。
【０２７２】
【表３】
0006275709.tif 000016
【０２７３】
右利きの人に対して、左眼及び右眼レンズの面上の書くゾーン４０の投影は水平軸に対して約２０°の角度だけ傾斜するので、左眼及び右眼レンズの両方の設計は対応する近方視注視方向（αＰＶＬ，βＰＶＬ），（αＰＶＲ，βＰＶＲ）に対して非対称である。
【０２７４】
この条件は次の事実により表される。右利きの人に対して、屈折力の側頭半値幅と鼻半値幅の差と和との比は右眼レンズに関して０より大きい値に設定され、屈折力の側頭半値幅と鼻半値幅の差と和との比は左眼レンズに関して０より小さい値に設定される及び／又は発生非点収差のモジュールの側頭半値幅と鼻半値幅の差と和との比は右眼レンズに関して０より大きい値に設定され、発生非点収差のモジュールの側頭半値幅と鼻半値幅の差と和との比は左眼レンズに関して０より小さい値に設定される：
ＲＰＲ＞０及びＲＰＬ＜０
及び／又は
ＲＡＲ＞０及びＲＡＬ＜０
【０２７５】
これらの式は以下の事実に至る、右利きの人に関しては、屈折力の右側頭半値幅は屈折力の右鼻半値幅より大きく、屈折力の左側頭半値幅は屈折力の左鼻半値幅より小さく、及び／又は発生非点収差のモジュールの右側頭半値幅は発生非点収差のモジュールの右鼻半値幅より大きい又は０にほぼ等しく発生非点収差のモジュールの左側頭半値幅は発生非点収差のモジュールの左鼻半値幅より小さい又は０にほぼ等しい。
ＴＰ＿ＲＥ＞ＮＰ＿ＲＥ及びＴＰ＿ＬＥ＜ＮＰ＿ＬＥ
及び／又は
ＴＡ＿ＲＥ＞ＮＡ＿ＲＥ及びＴＡ＿ＬＥ＜ＮＡ＿ＬＥ
【０２７６】
特に、右利きの人に関して、右眼レンズの屈折力の側頭半値幅と鼻半値幅の差と和との比と左眼レンズの屈折力の側頭半値幅と鼻半値幅の差と和との比との比はほぼ０に設定される。及び／又は右眼レンズの発生非点収差のモジュールの側頭半値幅と鼻半値幅の差と和との比と、左眼レンズの発生非点収差のモジュールの側頭半値幅と鼻半値幅の差と和との比は、ほぼ０に設定される。
ＲＰＲ＋ＲＰＬ＝０
及び／又は
ＲＡＲ＋ＲＡＬ＝０
【０２７７】
表３は、屈折力が「ＰＦＶ＋処方加入度の１００％」に達する場合の近方視注視方向と屈折力が「ＰＦＶ＋処方加入度の８５％」に達する場合の右方視注視方向に対する、右利きの人の発生非点収差ＲＡＬ，ＲＡＲの基準の値を要約する。
【０２７８】
【表４】
0006275709.tif 000017
【０２７９】
したがって、本発明は、装着者の左右差に従って一対の累進式眼用レンズのための２つの特定の設計を提供する。
【０２８０】
別の態様によると、本発明は、特定の装着者用の一対の個人専用累進式眼用レンズを決定する方法を提供する。
【０２８１】
この方法は、この装着者の有効近方視ゾーン４４Ｌ、４４Ｒと有効近方視ゾーン４４Ｌ、４４Ｒの傾斜が測定され、基準は測定された傾斜に基づき判断されるという点で左利きの／右利きの区分化に関する上記方法と異なる。
【０２８２】
したがって、得られた設計は、左利き又は右利きの人の平均値ではなくこの特定の装着者に適用される。
【０２８３】
明らかに、コンピュータ上で読む、書く、スマートフォンを使用するなど他の近方視作業を考慮し得る。
【０２８４】
本発明によると、設計はさらに、装着者の頭／目挙動を考慮することにより微調整することができる。実際、近方視作業を行う場合、ある人はむしろ自分の目を動かす傾向があり、他の人はむしろ自分の頭を動かす傾向がある。
【０２８５】
本発明者らは、目を動かす装着者に関して、実際に使用されるレンズの領域は書くゾーン４０のレンズ上の全投影に対応し、一方、頭を動かす装着者に関しては、実際に使用されるレンズの領域が書くゾーン４０のレンズ上の投影の一部に対応するということを見出した。頭／目挙動得点を計算することができ、書くゾーン４０の投影を頭／目挙動得点に依存する係数により重み付けることができる。Ｖｉｓｉｏｆｆｉｃｅ又はＶｉｓｉｏｎ  Ｐｒｉｎｔ  Ｓｙｓｔｅｍの名称で知られた装置を使用することにより頭／目挙動得点を測定できる、又はＳＭＩ視標追跡眼鏡（ＳｅｎｓｏＭｏｔｏｒｉｃ  Ｉｎｓｔｒｕｍｅｎｔ）、ＡＳＬ視標追跡眼鏡（Ａｐｐｌｉｅｄ  Ｓｃｉｅｎｃｅ  Ｌａｂｏｒａｔｏｒｉｅｓ）などの視標追跡により頭／目の挙動得点を決定できる。
【０２８６】
例１Ｃ：特定のレンズ設計
図１１〜図１８と図１９ａ〜図２２ａは考察されるレンズの光学特性を示す。
【０２８７】
図１１、１３、１５、１７、１９ａ、２１ａは屈折力マップである。マップの垂直及び水平軸は注視方向の俯角αの値と方位角βの値である。これらのマップに示された等角曲線は、同じ屈折力値に対応する注視方向を接続したものである。曲線のそれぞれの屈折力値は、隣接曲線間で０．２５δだけ増加され、これらの曲線のいくつかの上に示される。
【０２８８】
図１２、１４、１６、１８、２０ａ、２２ａは、発生非点収差マップである。これらのマップの軸は屈折力マップのものと同様であり、これらのマップに示された等角曲線は、同じ発生非点収差値に対応する注視方向を接続したものである。これらのマップのそれぞれはまた経線を示す。
【０２８９】
これらのマップのそれぞれのマップ上で、３つの特定箇所ＰＶ、Ａ、Ｂを考察する。
【０２９０】
点ＰＶは、近方視制御点に関係する近方視注視方向に対応する。
【０２９１】
以下の例では、点ＰＶは、屈折力が「当該レンズの処方遠方視平均屈折力」＋「当該レンズに処方された加入度の１００％」に達する場合の注視方向と交差するレンズの前面上の点である。
【０２９２】
点Ａは、点Ａと点ＰＶ間の距離が上に定義されるような側頭半値幅に対応するようにレンズの側頭側上に配置される。
【０２９３】
点Ｂは、点Ｂと点ＰＶ間の距離が上に定義されるような鼻半値幅に対応するようにレンズの鼻側に配置される。
【０２９４】
ＰＡＩＲ１−図１１〜図１４：右利き装着者、発生非点収差の最適化
本発明による累進式眼用レンズの対ＰＡＩＲ１は、右利き装着者用であり、発生非点収差という意味で最適化された。
【０２９５】
この場合、屈折力処方箋は遠方視において＋０．７５δであり、処方加入度は対のレンズの両方に対して１．５０δである。装着者に対していかなる非点収差も処方されない。
【０２９６】
図１１と図１２に、当該対の右眼レンズＬＥＮＳ１の光学特性（屈折力と発生非点収差）を示す。
【０２９７】
図１３と図１４に、当該対の左眼レンズＬＥＮＳ２の光学特性（屈折力と発生非点収差）を示す。
【０２９８】
図１１で：
−  点ＰＶはαＰＶＲ＝２８．９°及びβＰＶＲ＝４．９°に位置する。
−  点ＰＶは屈折力値に対応する等角曲線上に位置する：
Ｐ＝０．７５＋１００％＊１．５＝２．２５δ
【０２９９】
図１２で：
−  点ＰＶはαＰＶＲ＝２８．９°及びβＰＶＲ＝４．９°に位置する。
−  点ＡはαＡＲ＝αＰＶＲ＝２８．９°及びβＡＲ＝−１．４°に位置する。
−  点ＢはαＢＲ＝αＰＶＲ＝２８．９°及びβＢＲ＝８．４°に位置する。
点ＡとＢを接続する等角曲線は発生非点収差値に対応する：
−  Ａｓｒ＝１．５／４＝０．３７５δ
−  ＴＡ＿ＲＥ＝６．３°及びＮＡ＿ＲＥ＝３．５°
このときＲＡＲ＝０．２８
【０３００】
図１３で：
−  点ＰＶはαＰＶＬ＝２９．０°及びβＰＶＬ＝−４．９°に位置する。
−  点ＰＶは屈折力値に対応する等角曲線上に位置する：
Ｐ＝０．７５＋１００％＊１．５＝２．２５δ
【０３０１】
図１４で：
−  点ＰＶはαＰＶＬ＝２９．０°及びβＰＶＬ＝−４．９°に位置する。
−  点ＡはαＡｌ＝αＰＶＬ＝２９．０°及びβＡＬ＝−１．２°に位置する。
−  点ＢはαＢＬ＝αＰＶＬ＝２９．０°及びβＢＬ＝−１１．３°に位置する。
点ＡとＢを接続する等角曲線は発生非点収差値に対応する：
−  Ａｓｒ＝１．５／４＝０．３７５δ
−  ＴＡ＿ＬＥ＝３．７°及びＮＡ＿ＬＥ＝６．４°
このとき、ＲＡＬ＝−０．２７
【０３０２】
この対ＰＡＩＲ１は右利きの人用である。発生非点収差比はこのようなである。
ＲＡＲ≧０及びＲＡＬ≦０
【０３０３】
上記比はさらに、公差範囲を考慮してＲＡＲ＋ＲＡＬがほぼ０に等しくなる（ＲＡＲ＋ＲＡＬ＝０．０１）ようにされる。
【０３０４】
したがって、この対のレンズは、装着者が近方視作業を行う場合に、有効ゾーン内において非対称設計を提供することにより最適な快適性を右利き装着者に提供する。
【０３０５】
ＰＡＩＲ２−図１５〜図１８：左利き装着者、発生非点収差の最適化
例２は、左利き装着者用の本発明による累進式眼用レンズの対ＰＡＩＲ２であって発生非点収差という意味で最適化された対ＰＡＩＲ２に対応する。
【０３０６】
この場合、屈折力処方箋は遠方視において＋０．７５δであり、処方加入度は対のレンズの両方に対して１．５０δである。装着者に対していかなる非点収差も処方されない。
【０３０７】
図１５と１６に、当該対の右眼レンズＬＥＮＳ３の光学特性（屈折力と発生非点収差のモジュール）を示す。
【０３０８】
図１７と図１８に、当該対の左眼レンズＬＥＮＳ４の光学特性（屈折力と発生非点収差のモジュール）を示す。
【０３０９】
図１５で：
−  点ＰＶはαＰＶＲ＝２９．１°及びβＰＶＲ＝５．０°に位置する。
−  点ＰＶは屈折力値に対応する等角曲線上に位置する：
Ｐ＝０．７５＋１００％＊１．５＝２．２５δ
【０３１０】
図１６で：
−  点ＰＶはαＰＶＲ＝２９．１°及びβＰＶＲ＝５．０°に位置する。
−  点ＡはαＡＲ＝αＰＶＲ＝２９．１°及びβＡＲ＝−０．１°に位置する。
−  点ＢはαＢＲ＝αＰＶＲ＝２９．１°及びβＢＲ＝１０．１°に位置する。
点ＡとＢを接続する等角曲線は発生非点収差値に対応する：
−  Ａｓｒ＝１．５／４＝０．３７５δ
−  ＴＡ＿ＲＥ＝５．１°及びＮＡ＿ＲＥ＝５．１°
このときＲＡＲ＝０．００
【０３１１】
図１７で：
−  点ＰＶはαＰＶＬ＝２９．１°及びβＰＶＬ＝−５．０°に位置する。
−  点ＰＶは屈折力値に対応する等角曲線上に位置する：
Ｐ＝０．７５＋１００％＊１．５＝２．２５δ
【０３１２】
図１８で：
−  点ＰＶはαＰＶＬ＝２９．１°及びβＰＶＬ＝−５．０°に位置する。
−  点ＡはαＡｌ＝αＰＶＬ＝２９．１°及びβＡＬ＝０．１°に位置する。
−  点ＢはαＢＬ＝αＰＶＬ＝２９．１°及びβＢＬ＝−１０．１°に位置する。
点ＡとＢを接続する等角曲線は発生非点収差値に対応する：
−  Ａｓｒ＝１．５／４＝０．３７５δ
−  ＴＡ＿ＬＥ＝５．１°及びＮＡ＿ＬＥ＝５．１°
このときＲＡＬ＝０．００
【０３１３】
この対ＰＡＩＲ２は左利きの人用である。発生非点収差比は次のようにされる：
ＲＡＬ＝ＲＡＲ＝０
【０３１４】
したがって、この対のレンズは、装着者が近方視作業を行う場合に、有効ゾーン内において対称設計を提供することにより最適な快適性を左利き装着者に提供する。
【０３１５】
ＰＡＩＲ３−図１９ａ〜２２ａ：左利き装着者
例３は、左利き装着者用の本発明による累進式眼用レンズの対ＰＡＩＲ３であって発生非点収差という意味で最適化された対ＰＡＩＲ３に対応する。
【０３１６】
この場合、屈折力処方箋は遠方視において＋０．７５δであり、処方加入度は対のレンズの両方に対して１．５０δである。装着者に対していかなる非点収差も処方されない。
【０３１７】
図１９ａと２０ａに、対ＰＡＩＲ３の右眼レンズＬＥＮＳ１の光学特性（屈折力と発生非点収差）を示す。
【０３１８】
図２１ａと２２ａに、対ＰＡＩＲ３の左眼レンズＬＥＮＳ２の光学特性（屈折力と発生非点収差）を示す。
【０３１９】
図１９ａで：
−  点ＰＶはαＰＶＲ＝２９．０°及びβＰＶＲ＝５．０°に位置する。
−  点ＰＶは屈折力値に対応する等角曲線上に位置する：
−  Ｐ＝０．７５＋１００％＊１．５＝２．２５δ
【０３２０】
図２０ａで：
−  点ＰＶはαＰＶＲ＝２９．０°及びβＰＶＲ＝５．０°に位置する。
−  点ＡはαＡＲ＝αＰＶＲ＝２９．０°及びβＡＲ＝１．３°に位置する。
−  点ＢはαＢＲ＝αＰＶＲ＝２９．０°及びβＢＲ＝１１．４°に位置する。
点ＡとＢを接続する等角曲線は発生非点収差値に対応する：
Ａｓｒ＝１．５／４＝０．３７５δ
ＴＡ＿ＲＥ＝３．７°及びＮＡ＿ＲＥ＝６．４°
このとき、ＲＡＲ＝−０．２７
【０３２１】
図２１ａで：
−  点ＰＶはαＰＶＬ＝２８．９°及びβＰＶＬ＝−４．９°に位置する。
−  点ＰＶは屈折力値に対応する等角曲線上に位置する：
−  Ｐ＝０．７５＋１００％＊１．５＝２．２５δ
【０３２２】
図２２ａで：
−  点ＰＶはαＰＶＬ＝２８．９°及びβＰＶＬ＝−４．９°に位置する。
−  点ＡはαＡｌ＝αＰＶＬ＝２８．９°及びβＡＬ＝１．４°に位置する。
−  点ＢはαＢＬ＝αＰＶＬ＝２８．９°及びβＢＬ＝−８．４°に位置する。
点ＡとＢを接続する等角曲線は発生非点収差値に対応する：
Ａｓｒ＝１．５／４＝０．３７５δ
ＴＡ＿ＬＥ＝６．３°及びＮＡ＿ＬＥ＝３．５°
このときＲＡＬ＝０．２８
【０３２３】
この対ＰＡＩＲ３は左利きの人用である。実際、発生非点収差比は次のようになるようにされる
ＲＡＲ≦０及びＲＡＬ≧０
【０３２４】
上記比はさらに、公差範囲を考慮してＲＡＲ＋ＲＡＬがほぼ０に等しくなる（ＲＡＲ＋ＲＡＬ＝０．０１）ようにされる。
【０３２５】
したがって、対ＰＡＩＲ３は、装着者が近方視作業を行う場合に、有効ゾーン内において非対称設計を提供することにより最適な快適性を左利き装着者に提供する。
【０３２６】
例２：装着者利き手に応じて遠方視における非対称側頭／鼻半値幅（屈折力と非点収差）を有する累進レンズ設計
例２におけるパラメータはすべて遠方視に関係するが簡略化目的などのために注釈されない。例１に対する類推により、以下のとおり、累進レンズ設計は装着者の利き手に応じて、遠方視の半値幅に対する非対称性を備える。
【０３２７】
右利き装着者に関して：
（ＴＰ＿ＬＥ−ＮＰ＿ＬＥ）／（ＴＰ＿ＬＥ＋ＮＰ＿ＬＥ）≦０及び（ＴＰ＿ＲＥ−ＮＰ＿ＲＥ）／（ＴＰ＿ＲＥ＋ＮＰ＿ＲＥ）≧０並びに／又は
（ＴＡ＿ＬＥ−ＮＡ＿ＬＥ）／（ＴＡ＿ＬＥ＋ＮＡ＿ＬＥ）≦０及び（ＴＡ＿ＲＥ−ＮＡ＿ＲＥ）／（ＴＡ＿ＲＥ＋ＮＡ＿ＲＥ）≧０
【０３２８】
左利き装着者に関して：
（ＴＰ＿ＬＥ−ＮＰ＿ＬＥ）／（ＴＰ＿ＬＥ＋ＮＰ＿ＬＥ）≧０及び（ＴＰ＿ＲＥ−ＮＰ＿ＲＥ）／（ＴＰ＿ＲＥ＋ＮＰ＿ＲＥ）≦０並びに／又は
（ＴＡ＿ＬＥ−ＮＡ＿ＬＥ）／（ＴＡ＿ＬＥ＋ＮＡ＿ＬＥ）≧０及び（ＴＡ＿ＲＥ−ＮＡ＿ＲＥ）／（ＴＡ＿ＲＥ＋ＮＡ＿ＲＥ）≦０
【０３２９】
例示として：
右利き装着者に関して：
（ＴＰ＿ＬＥ−ＮＰ＿ＬＥ）／（ＴＰ＿ＬＥ＋ＮＰ＿ＬＥ）＜−０．１８及び（ＴＰ＿ＲＥ−ＮＰ＿ＲＥ）／（ＴＰ＿ＲＥ＋ＮＰ＿ＲＥ）＞０．１８並びに／又は
（ＴＡ＿ＬＥ−ＮＡ＿ＬＥ）／（ＴＡ＿ＬＥ＋ＮＡ＿ＬＥ）＜−０．２５及び（ＴＡ＿ＲＥ−ＮＡ＿ＲＥ）／（ＴＡ＿ＲＥ＋ＮＡ＿ＲＥ）＞０．２５
【０３３０】
左利き装着者に関して：
（ＴＰ＿ＬＥ−ＮＰ＿ＬＥ）／（ＴＰ＿ＬＥ＋ＮＰ＿ＬＥ）＞０．１８及び（ＴＰ＿ＲＥ−ＮＰ＿ＲＥ）／（ＴＰ＿ＲＥ＋ＮＰ＿ＲＥ）＜−０．１８並びに／又は
（ＴＡ＿ＬＥ−ＮＡ＿ＬＥ）／（ＴＡ＿ＬＥ＋ＮＡ＿ＬＥ）＞０．２５及び（ＴＡ＿ＲＥ−ＮＡ＿ＲＥ）／（ＴＡ＿ＲＥ＋ＮＡ＿ＲＥ）＜−０．２５
【０３３１】
有利には、本発明によると、視野は、ある距離に位置する物体方向を指すなど、遠方視作業に使用される手の側に向かってより開いている。
【０３３２】
例３：装着者の利き手に応じて非対称非点収差ピーク（最大）を有する累進レンズ設計
鼻（又は側頭）非点収差ピーク値ＭａｘＡｓｒＮ（又はＭａｘＡｓｒＴ）はレンズの鼻（又は側頭）の側における発生非点収差の最大値として定義される。設計の緩和は非点収差ピークにより特徴付けられ得、装着者の利き手に応じてカスタム化することができる。設計は、書字手の側（ＬＥ、左眼；ＲＥ：右眼）で緩和され得る：
【０３３３】
右利き装着者に関して：
ＭａｘＡｓｒＴ＿ＬＥ−ＭａｘＡｓｒＮ＿ＬＥ＞０及びＭａｘＡｓｒＴ＿ＲＥ−ＭａｘＡｓｒＮ＿ＲＥ＜０
【０３３４】
左利き装着者に関して：
ＭａｘＡｓｒＴ＿ＬＥ−ＭａｘＡｓｒＮ＿ＬＥ＜０及びＭａｘＡｓｒＴ＿ＲＥ−ＭａｘＡｓｒＮ＿ＲＥ＞０．
【０３３５】
任意選択的に、設計はさらに、処方加入度の値Ａを考慮し得る。
【０３３６】
有利には、これで、主として使用されるレンズの両側のぼやけが少なくなる。
【０３３７】
さらに、頭は手の側に向かってより回転し、したがって設計がより穏やかである場合、この側には視覚的歪が少ないので有利である。
【０３３８】
右利き装着者に関して：
ＭａｘＡｓｒＴ＿ＬＥ−ＭａｘＡｓｒＮ＿ＬＥ＞Ｍａｘ（０．２５＊Ａ−０．２５；０．２５）及び
ＭａｘＡｓｒＴ＿ＲＥ−ＭａｘＡｓｒＮ＿ＲＥ＜−Ｍａｘ（０．２５＊Ａ−０．２５；０．２５）；
【０３３９】
左利き装着者に関して：
ＭａｘＡｓｒＴ＿ＬＥ−ＭａｘＡｓｒＮ＿ＬＥ＜−Ｍａｘ（０．２５＊Ａ−０．２５；０．２５）及び
ＭａｘＡｓｒＴ＿ＲＥ−ＭａｘＡｓｒＮ＿ＲＥ＞Ｍａｘ（０．２５＊Ａ−０．２５；０．２５）
【０３４０】
一例として：
右利き装着者に関して：
ＭａｘＡｓｒＴ＿ＬＥ−ＭａｘＡｓｒＮ＿ＬＥ＞０．５０及び
ＭａｘＡｓｒＴ＿ＲＥ−ＭａｘＡｓｒＮ＿ＲＥ＜−０．５０；
【０３４１】
左利き装着者に関して：
ＭａｘＡｓｒＴ＿ＬＥ−ＭａｘＡｓｒＮ＿ＬＥ＜−０．５及び
ＭａｘＡｓｒＴ＿ＲＥ−ＭａｘＡｓｒＮ＿ＲＥ＞０．５０。
【０３４２】
例４：利き手の判断
以下は、異なる方法に従う利き手の判断を示す。
【０３４３】
単一質問
装着者は、手書きを行うためにどちらの手を使用するかと尋ねられる。
−  返答が「右」である場合、利き手は「右利き」と判断され、＋１００の利き手値を割り振ることができる。
−  返答が「左」である場合、利き手は「左利き」と判断され、−１００の利き手値を割り振ることができる。
【０３４４】
エジンバラインベントリ
プロトコルはＯｌｄｆｉｅｌｄ、Ｒ．Ｃ．，“Ｔｈｅ  ａｓｓｅｓｓｍｅｎｔ  ａｎｄ  ａｎａｌｙｓｉｓ  ｏｆ  ｈａｎｄｅｄｎｅｓｓ：ｔｈｅ  Ｅｄｉｎｂｕｒｇｈ  ｉｎｖｅｎｔｏｒｙ．”Ｎｅｕｒｏｐｓｙｃｈｏｌｏｇｉａ．９（１）：９７−１１３（１９７１）により説明された通りである。
【０３４５】
本方法によると、対象者は一連の利き手関連質問を尋ねられ、定量的に答えることになっている。結果は、−１００（極めて左利き）〜＋１００（極めて右利き）の範囲の側性係数ＬＱである。
【０３４６】
したがって、利き手値Ｈは、この方法に従って得られるＬＱ値として定義されることができる。
【０３４７】
修正エジンバラインベントリ
Ｏｌｄｆｉｅｌｄ、Ｒ．Ｃ．，“Ｔｈｅ  ａｓｓｅｓｓｍｅｎｔ  ａｎｄ  ａｎａｌｙｓｉｓ  ｏｆ  ｈａｎｄｅｄｎｅｓｓ：ｔｈｅ  Ｅｄｉｎｂｕｒｇｈ  ｉｎｖｅｎｔｏｒｙ．”Ｎｅｕｒｏｐｓｙｃｈｏｌｏｇｉａ．９（１）：９７−１１３（１９７１）のように商計算の同じ原理に従うことが可能であるが、質問の性質に関しては修正を伴う。特に、遠方視（それぞれ中間視、それぞれ近方視）を利用して作業に関係する質問を列挙することにより遠方視（それぞれ中間視、それぞれ近方視）のＨ＝ＬＱ値を定義することが可能である。
【０３４８】
例えば、近方視ＬＱを定義するために用いられ得る近方視作業は、以下の１つ又は複数を含み得る：
−  １枚の紙に書く、
−  卓上電話の番号をダイヤルする、
−  ポータブル／セルフォンの番号をダイヤルする、
−  タッチスクリーン（自動販売機、電子タブレット、スマートフォン）上でナビゲートする、
−  ポット又は鍋の内容物を撹拌する、
−  髭を剃る又はメークアップする。
【０３４９】
遠方視作業の例：空の一面又は任意の他の遠い点に向かって指す；弓を射る。
【０３５０】
中間視作業の例：皿洗い機又はオーブンを起動する；高い棚に置かれた物を取ろうと手を伸ばす。
【０３５１】
修正エジンバラインベントリにおける計算原理
対象者は以下の質問表を与えられる：
【０３５２】
【表５】
0006275709.tif 000018
【０３５３】
対象者は、適切な欄に「＋」を記入することにより各作業における手の使用でのその人の好みを示すように要求される。好みが非常に強いので特に強制されない限り他の手を使用しようとしない場合、対象者は「＋＋」を記入する。どちらでも対象者にとって問題とならない場合は、両方の欄に「＋」を記入する。
【０３５４】
Ｈ＝ＬＱは、［（「右」欄内の「＋」の数）−（「左」欄内の「＋」の数）／「＋」の数］＊１００として定義される。
【０３５５】
異なる視力ゾーンにおける修正エジンバラインベントリの計算の例
【０３５６】
【表６】
0006275709.tif 000019
【０３５７】
【表７】
0006275709.tif 000020
【０３５８】
【表８】
0006275709.tif 000021
【０３５９】
有利には、本発明による利き手係数として様々な側性係数を使用することにより、レンズのそれぞれ上の、近方視、遠方視、及び中間視ゾーンのそれぞれの非対称性のレベルを個々に定義できるようにする。
【０３６０】
例５：利き手に応じた非対称インセットを有する一対のレンズ
各レンズのインセット（ｉｎｓｅｔ＿ＲＥ＿ｉｎｉｔｉａｌとｉｎｓｅｔ＿ＬＥ＿ｉｎｉｔｉａｌ）は、装着者利き手を考慮すること無く最初に判断される。ｉｎｓｅｔ＿ＲＥ＿ｉｎｉｔｉａｌとｉｎｓｅｔ＿ＬＥ＿ｉｎｉｔｉａｌの値は処方データと適用可能な場合には国際公開第２０１００３４７２７号パンフレットによるものなど他のパラメータとに応じて判断され得る。
【０３６１】
このとき、利き手を考慮するインセット値は以下のように判断され得る：
右利き装着者に対して：
−  ｉｎｓｅｔ  ＲＥ＝ｉｎｓｅｔ＿ＲＥ＿ｉｎｉｔｉａｌ−Ｄｅｌｔａ＿ｉｎｓｅｔ
−  ｉｎｓｅｔ  ＬＥ＝ｉｎｓｅｔ＿ＬＥ＿ｉｎｉｔｉａｌ＋Ｄｅｌｔａ＿ｉｎｓｅｔ
一方、左利き装着者に対して：
−  ｉｎｓｅｔ  ＲＥ＝ｉｎｓｅｔ＿ＲＥ＿ｉｎｉｔｉａｌ＋Ｄｅｌｔａ＿ｉｎｓｅｔ
−  ｉｎｓｅｔ  ＬＥ＝ｉｎｓｅｔ＿ＬＥ＿ｉｎｉｔｉａｌ−Ｄｅｌｔａ＿ｉｎｓｅｔ
ここで、
−  ＳＰＤ＝サジタル面と近方視における注視点間の距離＝３０ｍｍ
−  ＣＲＥ＿Ｌ＝眼の回転中心とレンズ間の距離＝２５．５ｍｍ
−  ＲＤ＝読み取り距離＝４００ｍｍ
Ｄｅｌｔａ＿ｉｎｓｅｔ＝ＣＲＥ＿Ｌ／ＤＬ＊ＤＰＳ＝１．９ｍｍ。
【０３６２】
例６：本発明により得られる累進レンズ
図２２に、本発明により得られる累進レンズの発生非点収差マップを示す。これらのレンズは、２つの眼に対する同一処方データ（＋４Ａｄｄ２）を有する装着者用に設計される。
【０３６３】
図２２に、本発明の累進レンズの発生非点収差マップを示す。レンズは、２つの眼に対する同一処方データ（＋４Ａｄｄ２）を有する右利き装着者の近方視用に設計される。マップは、上述のように光線追跡を利用して得られ、注視方向に応じて発生非点収差の値を示し、レンズは平均装着条件で配置される。
【０３６４】
各レンズ上では、発生非点収差の最大値（最大Ａｓｒ）に関しては装着者の右手側が好ましい：
【０３６５】
右眼レンズ上では、最大Ａｓｒ（側頭）＜最大Ａｓｒ（鼻）、一方、左眼レンズ上では、最大Ａｓｒ（鼻）＜最大Ａｓｒ（側頭）。
例７：右利き装着者のエルゴラマの定義
図２０に、右利き装着者用に設計されたエルゴラマの例を示す。
【０３６６】
エルゴラマはサイクロピアン基準座標系において定義される。この双眼座標系は、例えば装着者（ＥＲＣ＿Ｌ，ＥＲＣ＿Ｒ）の２つの眼のそれぞれの回転中心により定義された線分の中央に位置する仮想的「眼」（ＥＲＣ＿Ｃ）（単眼）の回転中心を中心とする。注視方向（αｗ，βｗ）が物体Ｗに対応するサイクロピアン座標系を図１９に示す。
【０３６７】
図２０は近接性グラフである。すなわち、近接性グラフは注視方向に応じた距離の逆数（単位：ｍ−１）を表す。本発明によると、近接性は近方視におけるサイクロピアン座標系（βｗ＞０）の右側で若干小さいと有利である。実際、書く作業中、右利き装着者に関し、距離は左側より右側でより大きい。
【符号の説明】
【０３６８】
２６  遠方視ゾーン
２８  近方視ゾーン
３０  中間領域
３２  面経線
【図１】
0006275709.tif 000022
【図２】
0006275709.tif 000023
【図３】
0006275709.tif 000024
【図４】
0006275709.tif 000025
【図５】
0006275709.tif 000026
【図６】
0006275709.tif 000027
【図７】
0006275709.tif 000028
【図８】
0006275709.tif 000029
【図９】
0006275709.tif 000030
【図１０】
0006275709.tif 000031
【図１１】
0006275709.tif 000032
【図１２】
0006275709.tif 000033
【図１３】
0006275709.tif 000034
【図１４】
0006275709.tif 000035
【図１５】
0006275709.tif 000036
【図１６】
0006275709.tif 000037
【図１７】
0006275709.tif 000038
【図１８】
0006275709.tif 000039
【図１９】
0006275709.tif 000040
【図１９ａ】
0006275709.tif 000041
【図２０】
0006275709.tif 000042
【図２０ａ】
0006275709.tif 000043
【図２１】
0006275709.tif 000044
【図２１ａ】
0006275709.tif 000045
【図２２】
0006275709.tif 000046
【図２２ａ】
0006275709.tif 000047
【図２３】
0006275709.tif 000048
【図２４】
0006275709.tif 000049